(57)【特許請求の範囲】
【請求項１】
ゲージ測定値を通信する方法であって、
ゲージにより出力された測定値を表す測定値信号を前記ゲージから受信するステップと、
前記受信した測定値を含む通信信号を生成するステップと、
ワイヤレス・ネットワーク・プロトコルに従って前記通信信号を無線で送信するステップと、
を含む、方法であって、
前記ゲージは、複数のフォーマットのうち第１のフォーマットに従ってフォーマットされた測定値を有する前記測定値信号を出力し、
測定値信号を前記ゲージから受信するステップと、通信信号を生成するステップと、前記通信信号を無線で送信するステップとはファームウェアを有する無線計量アセンブリにより実施され、
前記方法は、前記複数のフォーマットごとに前記無線計量アセンブリの前記ファームウェアのバージョンを第１の記憶装置に格納するステップ、を更に含む、
前記方法。
【請求項２】
前記通信信号を無線で送信するステップは、ＩＥＥＥ８０２．１５．４ワイヤレス通信標準を有するＺｉｇＢｅｅネットワーク・プロトコルに従って前記通信信号を無線で送信するステップを含む、請求項１に記載の方法。
【請求項３】
ゲージ固有情報を記憶装置に格納するステップをさらに含み、通信信号を生成するステップは前記ゲージ固有情報を有する前記通信信号を生成するステップを含む、請求項１および２の何れかに記載の方法。
【請求項４】
前記方法は、前記複数のフォーマットのうち第２のフォーマットに従ってフォーマットされた測定値を有する前記通信信号を生成するステップをさらに含む、請求項１乃至３の何れかに記載の方法。
【請求項５】
前記ゲージにより出力された前記測定値に関連するユーザにより選択可能な複数の入力のうち１つに対応するユーザ入力を受信するステップと、前記ユーザ入力を表すフィードバック信号を無線で送信するステップをさらに含む、請求項１乃至４の何れかに記載の方法。
【請求項６】
前記送信された通信信号を無線で受信するステップと、前記測定値を前記受信された通信信号から決定するステップと、前記決定された測定値を前記第１の記憶装置に格納するステップとをさらに含む、請求項１乃至５の何れかに記載の方法。
【請求項７】
前記無線計量アセンブリが第２の記憶装置を有し、
前記方法は、前記無線計量アセンブリの前記ファームウェアに対する第１の構成を前記第２の記憶装置に格納するステップと、前記第１の記憶装置で前記無線計量アセンブリの前記ファームウェアに対する第２の構成を読み取るステップと、前記無線計量アセンブリの前記ファームウェアに対する前記第２の構成を前記無線計量アセンブリに無線で送信するステップと、前記無線計量アセンブリにより前記無線計量アセンブリの前記ファームウェアに対する前記第２の構成を受信するステップと、前記第２の記憶装置で、前記無線計量アセンブリの前記ファームウェアに対する前記第１の構成を前記無線計量アセンブリの前記ファームウェアに対する前記受信された第２の構成で置き換えるステップとをさらに含む、請求項６に記載の方法。
【請求項８】
前記第１のフォーマットが前記ゲージに対して適切であるという指示をユーザから受信するステップと、前記第１のフォーマットに従ってフォーマットされた測定値の処理を提供するファームウェアのバージョンを決定するステップと、前記ファームウェアの前記決定されたバージョンを前記第１の記憶装置から読み取るステップと、前記ファームウェアの前記読み取ったバージョンを前記無線計量アセンブリに無線で送信するステップと、前記無線計量アセンブリによって、前記ファームウェアの前記送信されたバージョンを受信するステップと、前記ファームウェアの前記受信されたバージョンを前記無線計量アセンブリにインストールするステップとをさらに含む、請求項６および７の何れかに記載の方法。
【請求項９】
前記ゲージにより出力された測定値を表す表示信号をコンピュータにより表示装置に出力するステップと、前記ゲージに対しておよび前記コンピュータに対して物理的かつ動作的に独立し独立に移動可能なワイヤレス・フィードバック装置上で、前記表示装置に表示された前記測定値に関連するユーザにより選択可能な複数の入力の１つに対応するユーザ入力を受信するステップと、前記ワイヤレス・フィードバック装置により、前記ユーザ入力を表すフィードバック信号を無線で送信するステップと、前記送信されたフィードバック信号を受信するステップと、前記受信されたフィードバック信号に少なくとも部分的に基づいて前記決定された測定値を処理するステップとをさらに含む、請求項６乃至８の何れかに記載の方法。
【請求項１０】
入出力コントローラと前記入出力コントローラに動作的に接続された第１のワイヤレス・ネットワーク・コントローラとを備えた無線計量アセンブリであって、前記入出力コントローラは、前記無線計量アセンブリがゲージに動作的に接続されたとき、前記ゲージにより出力された測定値を表す測定値信号を前記ゲージから受信し、前記受信した測定値を含む通信信号を生成するように構成され、前記第１のワイヤレス・ネットワーク・コントローラは、ワイヤレス・ネットワーク・プロトコルに従って前記通信信号を無線で送信するように構成された、無線計量アセンブリであって、
前記ゲージは、複数のフォーマットのうち第１のフォーマットに従ってフォーマットされた測定値を有する前記測定値信号を出力し、前記無線計量アセンブリはファームウェアを備え、前記無線計量アセンブリの前記ファームウェアのバージョンが前記複数のフォーマットごとに記憶装置に格納されるものである、前記無線計量アセンブリと、
前記記憶装置と、
送信された通信信号を無線で受信するするように構成されたワイヤレス・ベース・アダプタと、
前記通信信号を前記ワイヤレス・ベース・アダプタから受信し、前記測定値を前記通信信号から決定し、前記決定された測定値を前記記憶装置に格納するように構成されたコンピュータと、
とを備える、無線計量システム。
【請求項１１】
前記記憶装置はまた前記無線計量アセンブリの前記ファームウェアに対する第１の構成を格納し、前記コンピュータは、前記無線計量アセンブリの前記ファームウェアに対する前記第１の構成を読み取り、前記無線計量アセンブリの前記ファームウェアに対する前記第１の構成を前記無線計量アセンブリに前記ワイヤレス・ベース・アダプタを介して無線で送信するように構成され、前記無線計量アセンブリは、既存の第２のファームウェア構成を前記ファームウェアに対する前記受信された第１の構成で置き換えるように構成された、請求項１０に記載の無線計量システム。
【請求項１２】
前記コンピュータは、前記第１のフォーマットが前記ゲージに対して適切であるという指示をユーザから受信し、前記第１のフォーマットに対する前記無線計量アセンブリの前記ファームウェアの前記バージョンを読み取り、前記ファームウェアの前記読み取ったバージョンを前記無線計量アセンブリに前記ワイヤレス・ベース・アダプタを介して無線で送信するように構成され、前記無線計量アセンブリは、前記無線計量アセンブリの前記送信されたファームウェアをインストールするように構成された、請求項１１に記載の無線計量システム。
【請求項１３】
前記コンピュータに動作的に接続され、前記コンピュータから受信した表示信号を表示するように構成された表示装置をさらに備え、前記コンピュータは、前記ゲージにより出力された測定値を表す表示信号を前記表示装置に出力するように構成され、前記無線計量アセンブリは、前記入出力コントローラおよび前記第１のワイヤレス・ネットワーク・コントローラをサポートする第１の筐体を含むゲージ・アダプタを備え、前記無線計量アセンブリはさらに、前記第１の筐体に対して物理的に独立し独立に移動可能な第２の筐体を含むワイヤレス・フィードバック装置と、前記第２の筐体によりサポートされるユーザ入力装置と、前記第２の筐体によりサポートされる第２のワイヤレス・ネットワーク・コントローラとを備え、前記ユーザ入力装置は、前記表示装置に表示された前記測定値に関連するユーザにより選択可能な複数の入力の１つに対応するユーザ入力を受信するように構成され、前記第２のワイヤレス・ネットワーク・コントローラは、前記ユーザ入力を表すフィードバック信号を前記コンピュータに前記ワイヤレス・ベース・アダプタを介して無線で送信するように構成された、請求項１０乃至１２の何れか１項に記載の無線計量システム。
【発明の詳細な説明】
【技術分野】
【０００１】
本発明は産業計量に関する。より具体的には、開示された諸態様は、ゲージ測定値および／または動作情報を無線通信するためのシステムおよび方法に関する。
【背景技術】
【０００２】
幾つかのケースでは、比較的大型航空機の外板、翼桁、およびストリンガのような製造部品は１つまたは複数のゲージによって測定（例えば、ＣＮＣオートメーションからの耐性に関してチェック）される。当該ゲージは、当該製造部品に沿って移動して様々な位置で測定値を取得することができる。これらのゲージを、比較的高価なデータ・ケーブルでコンピュータに接続することができる。当該夫々のゲージは関連するデータ・ケーブルにより当該コンピュータに結び付けられるので、当該コンピュータ、ゲージ、およびデータ・ケーブルは一般にカートに積まれて、測定を実施する際に当該部品に沿って移動する。しかし、当該データ・ケーブルは、結果として大幅に摩耗し、場合によっては高価な取換えが必要となりうる。さらに、当該関連するデータ・ケーブル上でゲージからコンピュータに送信されたデータは一般に当該ゲージにより当該部品で取得された生の測定値にのみに対応する。当該ゲージの人間の操作者は一般に、送信されたデータが自動測定値記録システムに含められる前に、当該送信されたデータを受理または拒否できるようにコンピュータの近くに留まらねばならない。
【発明の概要】
【課題を解決するための手段】
【０００３】
本明細書では、無線計量通信を提供するシステムおよび方法の様々な例を開示する。
【０００４】
１例では、ゲージ測定値を通信する方法が、ゲージにより出力された測定値を表す測定値信号をゲージから受信するステップを含んでもよい。当該方法が、当該受信した測定値を含む通信信号を生成するステップと、ワイヤレス・ネットワーク・プロトコルに従って当該通信信号を無線で送信するステップとをさらに含んでもよい。
【０００５】
別の例では、無線計量アセンブリが、入出力コントローラおよび第１のワイヤレス・ネットワーク・コントローラを備えてもよい。第１のワイヤレス・ネットワーク・コントローラを、当該入出力コントローラに動作的に接続してもよい。当該入出力コントローラを、ゲージにより出力された測定値を表す測定値信号をゲージから受信するように構成してもよい。当該入出力コントローラを、無線計量アセンブリが当該ゲージに動作的に接続されるとき当該測定値信号を当該ゲージから受信するように構成してもよい。当該入出力コントローラを、当該受信した測定値を含む通信信号を生成するようにさらに構成してもよい。第１のワイヤレス・ネットワーク・コントローラを、ワイヤレス・ネットワーク・プロトコルに従って当該通信信号を無線で送信するように構成してもよい。
【０００６】
幾つかの実施形態では、無線計量アセンブリを無線計量システムに含めてもよい。当該無線計量システムが記憶装置、ワイヤレス・ベース・アダプタ、およびコンピュータをさらに備えてもよい。当該ワイヤレス・ベース・アダプタを、送信された通信信号を無線で受信するように構成してもよい。当該コンピュータを、通信信号を当該ワイヤレス・ベース・アダプタから受信し、当該測定値を当該通信信号から決定し、決定された測定値を当該記憶装置に格納するように構成してもよい。
【０００７】
別の例では、無線計量システムが無線計量アセンブリ、表示装置、および基本アセンブリを含んでもよい。無線計量アセンブリが、測定値に関連する指示を受信するように構成された少なくとも１つの入力装置を有してもよい。当該指示を当該入力装置に手動で入力してもよく、ユーザが選択可能な複数の入力のうち少なくとも１つに対応してもよい。無線計量アセンブリがゲージに動作的に接続されるとき、無線計量アセンブリを、当該ゲージにより出力された測定値を表す測定値信号をゲージから受信するように構成してもよい。無線計量アセンブリを、当該測定値信号を表す通信信号を無線送信し、当該入力された指示を表すフィードバック信号を無線で送信するようにさらに構成してもよい。当該表示装置を、表示信号を表示するように構成してもよい。当該基本アセンブリを、送信された通信信号を無線で受信し、当該ゲージにより出力された測定値の指示を含む表示信号を当該表示装置に通信し、当該フィードバック信号を無線で受信するように構成してもよい。
【０００８】
ゲージ測定値を通信する方法は、当該ゲージにより出力された測定値を表す測定値信号をゲージから受信するステップと、当該受信した測定値を含む通信信号を生成するステップと、ワイヤレス・ネットワーク・プロトコルに従って当該通信信号を無線で送信するステップとを含む。当該方法では、当該通信信号を無線で送信するステップは、ＩＥＥＥ８０２．１５．４ワイヤレス通信標準を有するＺｉｇＢｅｅネットワーク・プロトコルに従って当該通信信号を無線で送信するステップを含む。当該方法はゲージ固有情報を記憶装置に格納するステップをさらに含み、通信信号を生成するステップは当該ゲージ固有情報で当該通信信号を生成するステップを含む。
【０００９】
当該方法では、ゲージは、複数のフォーマットのうち第１のフォーマットに従ってフォーマットされた測定値を有する測定値信号を出力する。当該方法はさらに、当該複数のフォーマットのうち第２のフォーマットに従ってフォーマットされた測定値を有する通信信号を生成するステップを含む。当該方法はさらに、ゲージにより出力された測定値に関連するユーザにより選択可能な複数の入力のうち１つに対応するユーザ入力を受信するステップと、当該ユーザ入力を表すフィードバック信号を無線で送信するステップとを含む。当該方法はさらに、送信された通信信号を無線で受信するステップと、当該測定値を当該受信された通信信号から決定するステップと、当該決定された測定値を第１の記憶装置に格納するステップとを含む。
【００１０】
当該方法では、ゲージから測定値信号を受信するステップと、通信信号を生成するステップと、当該通信信号を無線で送信するステップとはファームウェアと第２の記憶装置とを有する無線計量アセンブリにより実施され、当該方法はさらに、無線計量アセンブリのファームウェアに対する第１の構成を第２の記憶装置に格納するステップと、第１の記憶装置で無線計量アセンブリのファームウェアに対する第２の構成を読み取るステップと、無線計量アセンブリのファームウェアに対する第２の構成を無線計量アセンブリに無線で送信するステップと、無線計量アセンブリにより無線計量アセンブリのファームウェアに対する第２の構成を受信するステップと、第２の記憶装置上で、無線計量アセンブリのファームウェアに対する第１の構成を無線計量アセンブリのファームウェアに対する受信された第２の構成で置き換えるステップとをさらに含む。
【００１１】
当該方法では、ゲージは、複数のフォーマットのうち第１のフォーマットに従ってフォーマットされた測定値を有する測定値信号を出力し、測定値信号を当該ゲージから受信するステップと、通信信号を生成するステップと、当該通信信号を無線で送信するステップとは、ファームウェアを有する無線計量アセンブリにより実施され、当該方法は、当該複数のフォーマットごとに無線計量アセンブリのファームウェアのバージョンを第１の記憶装置に格納するステップと、当該第１のフォーマットが当該ゲージに対して適切であるという指示をユーザから受信するステップと、当該第１のフォーマットに従ってフォーマットされた測定値の処理を提供するファームウェアのバージョンを決定するステップと、当該ファームウェアの決定されたバージョンを第１の記憶装置から読み取るステップと、当該ファームウェアの読み取ったバージョンを無線計量アセンブリに無線で送信するステップと、無線計量アセンブリによって、当該ファームウェアの送信されたバージョンを受信するステップと、当該ファームウェアの受信されたバージョンを無線計量アセンブリにインストールするステップとをさらに含む。
【００１２】
当該方法は、ゲージにより出力された測定値を表す表示信号をコンピュータにより表示装置に出力するステップと、当該ゲージおよび当該コンピュータに対して物理的かつ動作的に独立し独立に移動可能なワイヤレス・フィードバック装置上で、当該表示装置に表示された測定値に関連するユーザにより選択可能な複数の入力の１つに対応するユーザ入力を受信するステップと、当該ワイヤレス・フィードバック装置により、当該ユーザ入力を表すフィードバック信号を無線で送信するステップと、当該送信されたフィードバック信号を受信するステップと、当該受信されたフィードバック信号に少なくとも部分的に基づいて、決定された測定値を処理するステップとをさらに含む。
【００１３】
入出力コントローラと当該入出力コントローラに動作的に接続された第１のワイヤレス・ネットワーク・コントローラとを備えた無線計量アセンブリにおいて、当該入出力コントローラは、無線計量アセンブリがゲージに動作的に接続されたとき、当該ゲージにより出力された測定値を表す測定値信号をゲージから受信し、当該受信した測定値を含む通信信号を生成するように構成され、第１のワイヤレス・ネットワーク・コントローラは、ワイヤレス・ネットワーク・プロトコルに従って当該通信信号を無線で送信するように構成される。
【００１４】
当該無線計量アセンブリでは、当該ワイヤレス・ネットワーク・プロトコルは、ＩＥＥＥ８０２．１５．４ワイヤレス通信標準に従うＺｉｇＢｅｅネットワーク・プロトコルである。当該無線計量アセンブリは１つまたは複数のゲージ固有データを格納するように構成された計量記憶装置をさらに備え、入出力コントローラは、当該１つまたは複数のゲージ固有データのうち少なくとも１つを用いて通信信号を生成するように構成される。当該無線計量アセンブリでは、ゲージは、複数のフォーマットのうち第１のフォーマットに従ってフォーマットされた測定値を有する測定値信号を出力し、当該入出力コントローラは、当該複数のフォーマットのうち第２のフォーマットに従ってフォーマットされた測定値を有する通信信号を生成するように構成される。当該無線計量アセンブリでは、無線計量アセンブリは、ゲージにより出力された測定値に関連するユーザにより選択可能な複数の入力のうち１つに対応するユーザ入力を受信し、当該ユーザ入力を表すフィードバック信号を無線で送信するように構成される。
【００１５】
無線計量システムが、無線計量アセンブリ記憶装置と、送信された通信信号を無線で受信するように構成されたワイヤレス・ベース・アダプタと、当該通信信号を当該ワイヤレス・ベース・アダプタから受信し、測定値を当該通信信号から決定し、決定された測定値を当該記憶装置に格納するように構成されたコンピュータとを備える。当該無線計量システムでは、無線計量アセンブリは構成可能なファームウェアを備え、当該記憶装置はまた無線計量アセンブリのファームウェアに対する第１の構成を格納し、当該コンピュータは、無線計量アセンブリのファームウェアに対する第１の構成を読み取り、無線計量アセンブリのファームウェアに対する第１の構成を無線計量アセンブリにワイヤレス・ベース・アダプタを介して無線で送信するように構成され、無線計量アセンブリは、既存の第２のファームウェア構成を当該ファームウェアに対する受信された第１の構成で置き換えるように構成される。
【００１６】
当該無線計量システムでは、ゲージは、複数のフォーマットのうち第１のフォーマットに従ってフォーマットされた測定値を有する測定値信号を出力し、無線計量アセンブリはファームウェアを備え、記憶装置はまた当該複数のフォーマットごとに無線計量アセンブリのファームウェアのバージョンを格納し、当該コンピュータは、当該第１のフォーマットが当該ゲージに対して適切であるという指示をユーザから受信し、当該第１のフォーマットに対する無線計量アセンブリのファームウェアのバージョンを読み取り、当該ファームウェアの読み取ったバージョンを無線計量アセンブリにワイヤレス・ベース・アダプタを介して無線で送信するように構成され、無線計量アセンブリは、無線計量アセンブリの送信されたファームウェアをインストールするように構成される。
【００１７】
当該無線計量システムは、コンピュータに動作的に接続され当該コンピュータから受信した表示信号を表示するように構成された表示装置をさらに備える。当該コンピュータは、ゲージにより出力された測定値を表す表示信号を当該表示装置に出力するように構成され、無線計量アセンブリは、入出力コントローラおよび第１のワイヤレス・ネットワーク・コントローラをサポートする第１の筐体を含むゲージ・アダプタを備え、無線計量アセンブリはさらに、第１の筐体に対して物理的に独立し独立に移動可能な第２の筐体を含むワイヤレス・フィードバック装置、第２の筐体によりサポートされるユーザ入力装置、および第２の筐体によりサポートされる第２のワイヤレス・ネットワーク・コントローラを備え、当該ユーザ入力装置は、当該表示装置に表示された測定値に関連するユーザにより選択可能な複数の入力の１つに対応するユーザ入力を受信するように構成され、第２のワイヤレス・ネットワーク・コントローラは、当該ユーザ入力を表すフィードバック信号をコンピュータにワイヤレス・ベース・アダプタを介して無線で送信するように構成される。
【００１８】
無線計量システムが、測定値に関連する指示を受信するように構成された少なくとも１つ入力装置を有する無線計量アセンブリと、表示信号を表示するように構成された表示装置と、送信された通信信号を無線で受信し、ゲージにより出力された測定値の指示を含む表示信号を当該表示装置に通信し、フィードバック信号を無線で受信するように構成された基本アセンブリとを備える。当該指示は手動で当該入力装置に入力され、ユーザが選択可能な複数の入力のうち少なくとも１つに対応し、無線計量アセンブリは、無線計量アセンブリがゲージに動作的に接続されたとき、当該ゲージにより出力された測定値を表す測定値信号を当該ゲージから受信し、当該測定値信号を表す通信信号を無線送信し、当該入力された指示を表すフィードバック信号を無線で送信するように構成される。
【００１９】
当該無線計量システムでは、無線計量アセンブリは、ゲージ・アダプタと、当該ゲージ・アダプタに対して物理的に独立し独立に移動可能なワイヤレス・フィードバック装置とを備える。当該ゲージ・アダプタは、当該ゲージ・アダプタがゲージに動作的に接続されたとき、測定値信号を当該ゲージから受信し、入力装置を含むワイヤレス・フィードバック装置に通信信号を無線で送信するように構成され、表示装置に表示された測定値に関連するユーザにより選択可能な複数の入力の１つに対応するユーザ入力を受信し、当該ユーザ入力を表すフィードバック信号を基本アセンブリに無線で送信するように構成される。
【００２０】
特徴、機能、および利点を本発明の様々な実施形態において独立に実現でき、または、さらに別の組合せで組み合わせることができる。そのさらなる詳細は、以下の説明と図面を参照して理解することができる。
【図面の簡単な説明】
【００２１】
【図１】無線計量システムの例の一般図である。
【図２】図１のシステムで利用可能なワイヤレス・ゲージ・アダプタの例の詳細なブロック図である。
【図３】図１のシステムの基本アセンブリで利用可能なワイヤレス・ベース・アダプタの例の詳細なブロック図である。
【図４】図１のシステムの例示的な動作を示す流れ図である。
【図５】ゲージ・アダプタおよび基本アセンブリにより実施される例示的な動作を示す流れ図である。
【図６】ゲージ・アダプタの１実施形態により実施される詳細な動作を示す流れ図である。
【図７】ゲージ・アダプタの１実施形態により実施される詳細な動作を示す流れ図である。
【図８】ワイヤレス・ベース・アダプタの１実施形態により実施される詳細な動作を示す流れ図である。
【図９】その１つまたは複数を図１の無線計量システムに含みうる、例示的なデータ処理システムの様々なコンポーネントの略図である。
【発明を実施するための形態】
【００２２】
概要
様々な実施形態を関連する図面で以下で説明し例示する。特に断らない限り、実施形態および／またはその様々なコンポーネントは、本明細書で説明および／または図示した構造、コンポーネント、機能、および／または変形をのうち少なくとも１つを含んでもよいがこれは要件ではない。さらに、本教示と関連して本明細書で説明および／または図示した構造、コンポーネント、機能、および／または変形を他の同様な実施形態に含めてもよいがこれは要件ではない。様々な実施形態の以下の説明は、本質的に例示的なものにすぎず、決して本発明をその応用または利用に限定しようとするものではない。さらに、以下で説明する諸実施形態により提供される利点は本質的に例示的なものであって、全ての実施形態が同じ利点または同程度の利点を提供するものではない。
【００２３】
開示されたシステムは、中央コンソール（例えば、基本アセンブリ）からの端末装置の管理を解決でき、暗号化されたワイヤレス通信を提供でき、適合可能なデータ・フォーマットとストリームを有することができる。より具体的には、本明細書では、製造環境におけるワイヤレス・ゲージの管理を統合し、かつ／またはゲージ・ワイヤレス信号の送信／受信に対する配線および／または複数ユーザの必要性を排除できるシステムおよび方法を開示する。幾つかの実施形態では、システムがＺｉｇＢｅｅまたは他のワイヤレス・ネットワーク・プロトコルに基づく１つまたは複数のワイヤレス装置アダプタを含んでもよい。当該システムを、かかる装置アダプタが大型部品上の様々な位置での測定実行と関連して動作できるようにするように構成してもよい。当該装置アダプタが、マイクロ・コントローラを、ＩＥＥＥ８０２．１５．４ワイヤレス通信標準でＺｉｇＢｅｅネットワーク・プロトコルをサポートするワイヤレス・サブシステム、および長距離でデータを受理および／または拒否するためのヒューマンインタフェースに結合してゲージ測定値を処理してもよい。
【００２４】
例えば、開示された諸実施形態が、ゲージのネイティブ通信プロトコルと無関係に、任意のワイヤレス・ゲージからのワイヤレス測定値信号を受理するためのＺｉｇＢｅｅベースのアダプタを含んでもよい。より具体的には、ＺｉｇＢｅｅ仕様に基づくワイヤレス・アダプタが、ゲージのネイティブ・プロトコルと独立に任意のワイヤレス・ゲージからゲージ・データのビット単位変換を実施してもよい。当該ワイヤレス・アダプタを、当該ゲージ・データを暗号化するように構成してもよい。幾つかの実施形態では、当該システムにより、ファームウェアの構成がメタデータおよび／または装置の関連付けを含むことができる。
【００２５】
幾つかの実施形態では、当該システムが、コンピュータで実行されている中央のソフトウェア（例えば、ワイヤレス・アダプタ管理ソフトウェア・アプリケーション）を介して制御可能であってもよい。当該ソフトウェアが、基地局ＩＤ（例えば、当該コンピュータに接続されたワイヤレス・ベース・アダプタの識別番号）を読み取り、ローカル・ネットワークをスキャンし、かつ／または個々の装置構成および／またはファームウェア・バージョンを管理してもよい。幾つかの実施形態では、開示されたシステムが、基地局から離れた位置からリモートに測定値入力を受理／拒否するための能力を依然として保ちつつ、操作者が完全に移動可能でありうるようにするためのワイヤレス受理／拒否入力装置（例えば、ワイヤレス・フィードバック装置）を備えてもよい。通信された測定値を表示してもよく、幾つかの例では、製造部品に沿った様々な位置から、例えば、大型ディスプレイで参照してもよい。
【００２６】
ワイヤレス・アダプタ（または装置）が特にＺｉｇＢｅｅ−Ｐｒｏ標準プロトコルを利用して、暗号化されたワイヤレス通信を認証された送信により実現してももよい。ＺｉｇＢｅｅ−Ｐｒｏ標準プロトコルは、以前のＺｉｇＢｅｅ標準と下方互換である。幾つかの実施形態では、ワイヤレス・アダプタが、顕著なメタデータ、プロセス、識別番号、および／またはゲージに関連する較正日に沿ってゲージ読取値を送信（例えば、受信確認が受信されていない場合は、再送）するように構成されたネットワーク・スタックを含んでもよい。
【００２７】
より具体的には、システムが、コンピュータに接続されたワイヤレス基地局装置（例えば、ワイヤレス・ベース・アダプタ）に無線接続されたゲージを管理するようにソフトウェアにより構成可能であってもよい。当該ソフトウェアが、ゲージ・ネットワークを管理するための１組のオプション（および／または機能）を有してもよい。当該オプションにより、操作者は、（ａ）ネットワーク・コーディネータ装置（例えば、ワイヤレス・ベース・アダプタ）をセットアップし、（ｂ）ゲージ・ネットワークをテストし、（ｃ）ゲージを別のゲージ・ネットワークに転送し、かつ／または（ｄ）ゲージ・ファームウェアを更新する（例えば、ワイヤレス・ゲージ・アダプタのファームウェアを更新する）ことができる。１つのファームウェア構成では、システムが生の測定データをキャプチャし、コンピュータに接続されたワイヤレス・ベース・アダプタのみに送信してもよい。別のファームウェア構成では、システムは、関連するゲージ番号のようなメタデータを測定データに追加してもよい。別のファームウェア構成では、システムが生のＲＳ−２３２メッセージを送信してもよい。別のファームウェア構成では、システムが、Ｍｉｔｕｔｏｙｏ  Ｄｉｇｉｍａｔｉｃプロトコルのような非標準シリアル・プロトコルを処理してもよく、処理された非標準シリアル・プロトコルをコンピュータに送信してもよい。
【００２８】
幾つかの実施形態では、コンピュータに接続された基地局ネットワーク・コーディネータ（例えば、ワイヤレス・ベース・アダプタ）は、ＦＴＤＩ  ＵＳＢシリアル・ポート・ドライバのようなＵＳＢシリアル・ポート・ドライバを用いてＣＯＭポート上でゲージ・データをコンピュータに送信してもよい。１２８ビットＡＥＳ暗号化を用いてワイヤレス・リンク上で測定データをワイヤレス・ゲージ・アダプタからワイヤレス・ベース・アダプタに安全に送信することができ、（例えば、ワイヤレス・ベース・アダプタとコンピュータの間の）有線ＵＳＢリンク上で送信された（例えば、測定データを含む）ペイロードを符号化または暗号化しなくてもよい。ＲＳ−２３２接続で動作するように設計された装置（例えば、ゲージ）に対して、ワイヤレス・リンクが完全に透過であってもよい。非標準プロトコルを有する装置（例えば、ゲージ）に対して、（例えば、ワイヤレス・ゲージ・アダプタの最新の構成に含まれる）ファームウェアがゲージ出力を人間が読める形に処理してもよい。当該ゲージ出力は、コンピュータのＣＯＭポートに（例えば、ワイヤレス・リンク上でワイヤレス・ゲージ・アダプタからワイヤレス・ベース・アダプタへの送信、および、有線リンク上でワイヤレス・ベース・アダプタからＣＯＭポートへの送信を介して）到着しうるものである。
【００２９】
幾つかの実施形態では、システムが、ＺｉｇＢｅｅワイヤレス・アダプタがWindows（登録商標）バージョン６．ｘおよびLinux（登録商標）カーネル・オペレーティング・システムのような近代的なオペレーティング・システムに対するキーボード入力として動作できるようにするように構成された、ＺｉｇＢｅｅワイヤレス・アダプタ向けのインタフェース（例えば、追加のインタフェース）を含んでもよい。かかる能力により、システムは当該システムに既に存在する標準ＵＳＢキーボード・ドライバを使用でき、追加のドライバをインストールする必要はない。当該構成でワイヤレス・アダプタに接続されたゲージおよび／または装置が、測定データ（例えば、読取値）をフォーカスされている現在のテキスト入力にタイプする有効キーボードであってもよい。ＣＯＭポートに到着するデータが、データ収集向けの企業製造システムに容易に利用可能であってもよい（かつ／または提供してもよい）。ゲージ・ネットワークから来るデータが、容易に解析できるフォーマットであってもよいので、当該システムがデータ収集を任意の特定のソフトウェアに制限しなくてもよい。ターゲットのデータ収集ソフトウェア・パッケージを、シリアルＲＳ−２３２ＣＯＭポート（例えば、シリアルＲＳ−２３２ＣＯＭポート入力）を読み取り、当該データ（例えば、入力）を解析するように構成できる限り、当該ゲージ・ネットワークの測定値とメタデータを読み取ることができる。例えば、幾つかの実施形態では、当該システムが、米国バージニア州フェアファックスのＩｎｆｉｎｉｔｙＱＳ製のＰｒｏＦｉｃｉｅｎｔのような、統計的処理制御ソフトウェア向けのデータをキャプチャできる単純なＣＯＭデータ・インタフェースを有してもよい。
【００３０】
１実施形態では、無線計量アダプタ（例えば、ワイヤレス・ゲージ・アダプタ）が、米国ミネソタ州ミネトンカのＤｉｇｉ  Ｉｎｔｅｒｎａｔｉｏｎａｌ社製のＸＢｅｅマイクロプロセッサ（または他のＺｉｇＢｅｅプロトコル・マイクロプロセッサ）および回路基板を備えてもよい。当該回路基板がＺｉｇＢｅｅＰｒｏ（または他のＺｉｇＢｅｅプロトコル）無線モジュール、汎用目的入出力（ＩＯ）マイクロ・コントローラ、再充電可能電源、電源、およびスリープ機能を有してもよい。
【００３１】
開示されたシステムは、ＲＳ−２３２通信を使用するゲージから、および、異なる通信プロトコルを使用する他のゲージから、測定データを取得し無線送信してもよい。幾つかの実施形態では、開示されたシステムは、１つまたは複数のゲージから高々１１５２００ｋｂｐｓのボーレートを処理することができる。
【００３２】
開示されたシステム内のワイヤレス装置（またはゲージ）アダプタを、大量のバッテリ寿命を有するように構成してもよい。例えば、接続性ステータスを示すためのハードビート指示を提供するファームウェアをユーザが選択したとき、開示されたシステムは、関連するアダプタに含まれるリチウムイオン・ポリマ・バッテリ（または他の電源）の再充電が必要である前の約二週間の期間、３０、０００個の読取値が可能である。
【００３３】
幾つかの実施形態では、開示されたシステムは、例えば、低電力エンドの装置モデム・ファームウェアを有する、基地局ごとに高々１０個のワイヤレス・アダプタの接続性を提供することができる。幾つかの実施形態では、ルータ・モデム・ファームウェアを当該装置にインストールしてもよいが、幾つかのケースでは、バッテリ寿命が犠牲になりうる。また、ＺｉｇＢｅｅワイヤレス基地局の実施形態では、ＺｉｇＢｅｅワイヤレス基地局をコンピュータにＵＳＢインタフェースを介して接続してもよい。ＵＳＢインタフェースは、どれだけ多くのＵＳＢ装置およびＣＯＭポートをコンピュータのハードウェアおよびオペレーティング・システムが扱えるかにより決まる接続基地局の量を制限するだけであろう。幾つかの実施形態では、ワイヤレス・ゲージ・アダプタが１００メートルの距離（例えば、視線）まで、関連する基地局アダプタと通信してもよく、かかる通信は、大型アルミニウム外板や翼桁のような大型の金属物体（または部品）の存在下で弾力性を有し、それにより、とりわけ航空機製造環境における測定値収集を改善することができる。
【００３４】
様々な実施形態の諸態様をコンピュータ方法、コンピュータシステム、またはコンピュータプログラム製品として具現化してもよい。したがって、実施形態の諸態様が、専らハードウェアの実施形態、専らソフトウェアの実施形態（ファームウェア、常駐ソフトウェア、マイクロ−コード等を含む）、またはソフトウェアおよびハードウェアの態様を組み合わせた実施形態の形をとってもよく、それらの全てを本明細書で一般に「回路」、「モジュール」、「アダプタ」、または「システム」と称することがある。さらに、実施形態の諸態様が、コンピュータ可読プログラム・コード／命令を埋め込んだコンピュータ可読媒体（または媒体）を有するコンピュータプログラム製品の形をとってもよい。
【００３５】
コンピュータ可読媒体の任意の組合せを利用してもよい。コンピュータ可読媒体はコンピュータ可読信号媒体および／またはコンピュータ可読記憶媒体であることができる。コンピュータ可読記憶媒体が電気、磁気、光、電磁気、赤外線、および／または半導体システム、機器、または装置、またはこれらの任意の適切な組合せを含んでもよい。コンピュータ可読記憶媒体のより具体的な例が、１つまたは複数の配線を有する電気接続、ポータブルコンピュータディスク、ハードディスク、ランダム・アクセス・メモリ（ＲＡＭ）、読取専用メモリ（ＲＯＭ）、消去可能プログラム可能読取専用メモリ（ＥＰＲＯＭまたはフラッシュ・メモリ）、光ファイバ、ポータブル・コンパクト・ディスク読取専用メモリ（ＣＤ−ＲＯＭ）、光記憶装置、磁気記憶装置、および／またはこれらの任意の適切な組合せ等を含んでもよい。本開示の状況では、コンピュータ可読記憶媒体が、命令実行システム、機器、または装置により使用されるかまたはこれらと関連するプログラムを含むかまたは格納できる、任意の適切な有形の媒体を含んでもよい。
【００３６】
コンピュータ可読信号媒体が、コンピュータ可読プログラム・コードを埋め込んだ伝播データ信号を、例えば、ベースバンドで、または、搬送波の一部としてを含んでもよい。かかる伝播信号が様々な形態をとってもよい。当該形態には、電磁気、光、および／またはそれらの任意の適切な組合せが含まれるがこれらに限られない。コンピュータ可読信号媒体が、コンピュータ可読記憶媒体ではなく、かつ、命令実行システム、機器、または装置により使用されるかまたはこれらと関連するプログラムを通信し、伝播し、または伝送できる、任意のコンピュータ可読媒体を含んでもよい。
【００３７】
コンピュータ可読媒体に組み込まれたプログラム・コードを、任意の適切な媒体を用いて送信してもよい。当該媒体には、ワイヤレス、ワイヤーライン、光ファイバケーブル、ＲＦ、等、および／またはこれらの任意の適切な組合せが含まれるがこれらに限られない。
【００３８】
実施形態の諸態様の動作を実行するためのコンピュータプログラム・コードを、Java（登録商標）、Smalltalk、C++等のようなオブジェクト指向プログラミング言語、およびＣプログラミング言語のような従来の手続型プログラミング言語を含む、１つまたはまたは任意の組合せのプログラミング言語で書いてもよい。当該プログラム・コードを、専らユーザのコンピュータで、一部を当該ユーザのコンピュータで、スタンドアロンソフトウェア・パッケージとして、一部を当該ユーザのコンピュータおよび一部をリモートコンピュータで、または専ら当該リモートコンピュータまたはサーバで実行してもよい。後者のシナリオでは、当該リモートコンピュータを、ローカルエリアネットワーク（ＬＡＮ）または広域ネットワーク（ＷＡＮ）を含む任意の種類のネットワークを介して当該ユーザのコンピュータに接続してもよく、および／または、（例えば、インターネット・サービス・プロバイダを用いてインターネットを介して）外部コンピュータに接続してもよい。
【００３９】
実施形態の諸態様を、方法、機器、システム、および／またはコンピュータプログラム製品の流れ図および／またはブロック図を参照して以下で説明する。流れ図および／またはブロック図における各ブロックおよび／またはブロックの組合せをコンピュータプログラム命令により実装してもよい。当該コンピュータプログラム命令を汎用目的コンピュータ、特殊目的コンピュータ、または他のプログラム可能データ処理機器のプロセッサに提供してマシンを生成し、当該命令が、当該コンピュータまたは他のプログラム可能データ処理機器の当該プロセッサを介して実行され、流れ図および／またはブロック図の１つまたは複数のブロックで特定された機能／動作を実装するための手段を生成するようにしてもよい。
【００４０】
これらのコンピュータプログラム命令を、コンピュータ、他のプログラム可能データ処理機器、および／または他の装置に機能を特定の方式で機能するように指示するコンピュータ可読媒体に格納して、当該コンピュータ可読媒体に格納された命令が、流れ図および／またはブロック図の１つまたは複数のブロックで特定された機能／動作を実装する命令を含む製品を生成するようにすることもできる。
【００４１】
当該コンピュータプログラム命令をコンピュータ、他のプログラム可能データ処理機器、および／または他の装置にロードして、一連の動作ステップを当該装置で実施させコンピュータ実行型のプロセスを生成して、当該コンピュータまたは他のプログラム可能機器上で実行される命令が、流れ図および／またはブロック図の１つまたは複数のブロックで特定された機能／動作を実装するためのプロセスを提供するようにすることもできる。
【００４２】
図面における任意の流れ図および／またはブロック図は、様々な実施形態の諸態様に従う、システム、方法、およびコンピュータプログラム製品の可能な実装のアーキテクチャ、機能、および動作を示すものである。これに関して、各ブロックがモジュール、セグメント、またはコード部分を表してもよく、特定の論理機能（複数可）を実装するための１つまたは複数の実行可能命令を含む。幾つかの実装では、ブロックに記載した機能を図面に記載した順序とは別に実施してもよいことに留意されたい。例えば、含まれる機能に応じて、連続して示した２つのブロックの機能を実際には実質的に並列に実行してもよく、または当該ブロックの機能を場合によっては逆順で実行してもよい。各ブロックおよび／またはブロックの組合せを特定の機能または動作を実施する特殊目的ハードウェアベースのシステム（または特殊目的ハードウェアおよびコンピュータ命令の組合せ）により実装してもよい。
【００４３】
例、コンポーネント、および代替物
以下の例で、例示的な実施形態の選択した態様ならびに関連するシステムおよび／または方法を説明する。これらの例は、例示のためのものであり、本発明の範囲を限定するものではない。各例が１つまたは複数の相違なる発明、および／または文脈上のまたは関連する情報、機能、および／または構造を含んでもよい。
【００４４】
例１：
本例では、無線計量システム１００および関連する方法および動作を説明する。図１乃至８を参照。
【００４５】
図１に示すように、システム１００が、第１のサブシステム１０２のような１つまたは複数のワイヤレス送信サブシステムを含んでもよい。サブシステム１０２が、ゲージ１０４ａ−ｄ、無線計量アセンブリ１０８、および基本アセンブリ１１２のような１つまたは複数のゲージ１０４（または他の同様な装置）を含んでもよい。ゲージ１０４ａが、米国コネチカット州フェアフィールドのＧｅｎｅｒａｌ  Ｅｌｅｃｔｒｉｃ社製のモデルＣＬ５のような超音波厚さゲージであってもよい。ゲージ１０４ｂがデジタル・マイクロメータであってもよい。ゲージ１０４ｃがデジタル・ノギスであってもよい。ゲージ１０４ｄがデジタル・ダイヤル・インジケータであってもよい。これらの後者３つのゲージの例は、米国イリノイ州オーロラのＭｉｔｕｔｏｙｏ  Ａｍｅｒｉｃａ社により販売されている。しかし、他の実施形態では、他の測定値取得および／またはデジタル・ゲージを使用してもよい。
【００４６】
無線計量アセンブリ１０８が、ゲージ・アダプタ１２０ａ−ｄのような１つまたは複数のゲージ・アダプタ１２０を含んでもよい。これらは図１に概略的に示されている。ゲージ・アダプタ１２０ａ−ｄの各々がワイヤレス・ネットワーク・コントローラ、入出力コントローラ、および計量記憶装置を含んでもよい。例えば、アダプタ１２０ａが、ワイヤレス・ネットワーク・コントローラ１２４、入出力コントローラ１２８、および計量記憶装置１３２を含むとして示されている。無線計量アセンブリ１０８がさらにワイヤレス・フィードバック装置１３６を含んでもよい。装置１３６が別のワイヤレス・ネットワーク・コントローラ１４０およびユーザ入力装置１４４を含んでもよい。下記でさらに説明するように、基本アセンブリ１１２がワイヤレス・ベース・アダプタ１４８および強化ラップトップのようなコンピュータ１５２を含んでもよい。
【００４７】
一般に、ゲージ１０４の１つまたは複数を（例えば、人間のユーザまたは操作者により手動で）操作して、製造部品１５６のような１つまたは複数の部品を測定してもよい。ゲージ１０４が、測定値をアセンブリ１０８の関連するゲージ・アダプタに出力してもよい。当該ゲージ・アダプタが夫々の通信信号を生成してもよい。当該関連するゲージ・アダプタが、例えば、ＩＥＥＥ８０２．１５．４ワイヤレス通信標準を有するＺｉｇＢｅｅネットワーク・プロトコルのようなワイヤレス・ネットワーク・プロトコルに従って、当該夫々の通信信号をベース・アダプタ１４８を無線送信してもよい。ベース・アダプタ１４８が、送信された通信信号（複数可）を無線で受信し、当該通信信号（複数可）をコンピュータ１５２のＲＳ−２３２ＣＯＭポート（またはＵＳＢキーボード・インタフェースのような他の入力ポート）に出力してもよい。コンピュータ１５２（および／またはベース・アダプタ１４８）が部品１５６の測定値（複数可）を当該受信された通信信号（複数可）から決定してもよい。コンピュータ１５２（および／またはベース・アダプタ１４８）を、決定された測定値（複数可）を第１の記憶装置に格納するように構成してもよい。幾つかの実施形態では、第１の記憶装置が、コンピュータ１５２の記憶装置（例えば、関連するハード・ドライブ）、別のサブシステムの別のコンピュータに関連付けられた記憶装置（例えば、システム１００の第２のサブシステム１７０のコンピュータ１６０のハード・ドライブ。下記でさらに詳細に説明する）、および／またはコンピュータ間ネットワークに関連付けられた記憶装置（例えば、イントラネット１８８に関連付けられたデータベース１８０および／またはサーバ１８４。エンタープライズまたは企業のイントラネット、エクストラネット、または広域ネットワークであってもよい）であってもよい。例えば、幾つかの実施形態では、第１の記憶装置が分散記憶装置であってもよく、他の実施形態では第１の記憶装置がローカル記憶装置であってもよい。
【００４８】
幾つかの実施形態では、コンピュータ１５２が、ゲージにより出力された測定値を表す表示信号を、コンピュータ１５２および／または大型ディスプレイ１９２のようなディスプレイ（または表示装置）に出力してもよい。当該操作者（例えば、ゲージの操作者、または別の人間の操作者）がディスプレイ信号を当該ディスプレイ上で参照し、ユーザ入力をワイヤレス・フィードバック装置１３６にユーザ入力装置１４４の動作を介して入力してもよい。ワイヤレス・ネットワーク・コントローラ１４０がユーザ入力を表すフィードバック信号をベース・アダプタ１４８に無線送信してもよい。ベース・アダプタ１４８が当該送信されたフィードバック信号を受信し、当該送信されたフィードバック信号をコンピュータ１５２に出力してもよい。コンピュータ１５２は、受信されたフィードバック信号に少なくとも部分的に基づいて、当該関連する決定された測定値を処理してもよい。例えば、表示されたディスプレイ信号により表される測定値が受理可能（例えば、正確）であると操作者が判定した場合、操作者はフィードバック装置１３６を用いて受理フィードバック信号をベース・アダプタ１４８に送信してもよい。かかる受理フィードバック信号に基づいて、コンピュータ１５２が測定値を第１の記憶装置に格納してもよい。
【００４９】
システム１００の他のコンポーネントと関連してゲージ・アダプタ１２０ａの構造と動作に関する明細をより詳細に説明する。システム１００の他のゲージ・アダプタを、ゲージ・アダプタ１２０ａと同様にシステム１００内で構造化し動作させてもよく、したがって、ゲージ・アダプタ１２０ａに関連する説明を他のゲージ・アダプタに同様におよび／または適切に適用することができる。
【００５０】
特に、ワイヤレス・ネットワーク・コントローラ１２４を、入出力コントローラ１２８に動作的に接続してもよい。入出力コントローラ１２８を、アセンブリ１０８（例えば、アダプタ１２０ａ）がゲージ１０４ａに動作的に接続されたときに、測定値信号１９６をゲージ１０４ａから受信するように構成してもよい。例えば、アセンブリ１０８を、データ・リンクがその間に確立されるときゲージ１０４ａに動作的に接続してもよい。特に、確立されたデータ・リンクが入出力コントローラ１２８およびゲージ１０４ａの出力ポートの間の有線接続であってもよく、他の例では当該データ・リンクがワイヤレス接続を含んでもよい。測定値信号１９６が、部品１５６の部分の厚さのような、ゲージ１０４ａにより収集および／または出力された測定値２００を表してもよい。入出力コントローラ１２８を、（例えば、測定値信号１９６に少なくとも部分的に基づいて）通信信号２０４を生成するように構成してもよい。通信信号２０４が、受信した測定値２００（例えば、それを表すデータ）を含んでもよい。入出力コントローラ１２８を、通信信号２０４をワイヤレス・ネットワーク・コントローラ１２４に出力するように構成してもよい。ワイヤレス・ネットワーク・コントローラ１２４を、ワイヤレス・ネットワーク・プロトコルに従って通信信号２０４を無線で送信するように構成してもよい。上述のように、当該ワイヤレス・ネットワーク・プロトコルが、例えば、１２８ビット高度暗号化標準（ＡＥＳ）および６４ビットネットワークＩＤを有する、ＩＥＥＥ８０２．１５．４ワイヤレス通信標準に従うＺｉｇＢｅｅネットワーク・プロトコルであってもよい。
【００５１】
ワイヤレス・ベース・アダプタ１４８を、送信された通信信号２０４をワイヤレス・ネットワーク・コントローラ１２４から無線で受信するように構成してもよい。コンピュータ１５２を、通信信号２０４をワイヤレス・ベース・アダプタ１４８から受信するように構成してもよい。コンピュータ１５２を、受信した通信信号２０４から測定値２００を決定するように構成してもよい。コンピュータ１５２を、決定した測定値２００を第１の記憶装置に格納するように構成してもよい。例えば、コンピュータ１５２を、測定値２００を含む暗号化されたメッセージを、サーバ１８４および／またはデータベース１８０にイントラネット１８８を介して送信するように構成してもよい。例えば、コンピュータ１５２を、ＩＥＥＥ８０２．１１ワイヤレスＷＰＡ２−Ｅｎｔｅｒｐｒｉｓｅ暗号化を有するワイヤレス・データ・リンクを介してイントラネット１８８に接続してもよい。サーバ１８４および／またはデータベース１８０が（またはサーバ１８４および／またはデータベース１８０を使用して）、とりわけ、部品１５６の部品測定データおよび／または組込みのデータを格納および／または処理してもよく、これにより統計的処理制御データの収集および／または分析を可能とすることができる。
【００５２】
幾つかの実施形態では、記憶装置１３２を１つまたは複数のゲージ固有データを格納するように構成してもよく、入出力コントローラ１２８を、当該１つまたは複数のゲージ固有データのうち少なくとも１つを用いて通信信号２０４を生成するように構成してもよい。例えば、記憶装置１３２を、ゲージ・タイプ、ゲージに関連付けられたプロセス、ゲージの識別番号、ゲージの較正、および／または他の顕著なゲージ・メタデータのような、ゲージに関連するメタデータを格納するように構成してもよい。
【００５３】
幾つかの実施形態では、ゲージ１０４ａを、複数のフォーマットのうち第１のフォーマットに従ってフォーマットされた測定値２００を用いて測定値信号１９６を出力するように構成してもよい。当該複数のフォーマットがそれぞれ、様々な適切なゲージ、ゲージ・アダプタ、および／またはメタデータ送信構成に関連付けられた様々なフォーマットに対応してもよい。例えば、ゲージ１０４ａに関連付けられた第１のフォーマットが非標準シリアル・プロトコルでの生の測定値出力に対応してもよい。かかる実施形態では、とりわけ、入出力コントローラ１２８を、当該複数のフォーマットのうち第２のフォーマットに従ってフォーマットされた測定値２００を用いて通信信号２０４を生成するように構成してもよい。例えば、当該第２のフォーマットが、（例えば、ＲＳ−２３２接続で送信されるように構成された）標準化されたシリアル・プロトコル、および／または、そこに追加された上述のゲージ固有データのうち１つまたは複数を有する生の測定値２００に対応してもよい。入出力コントローラ１２８による測定値信号１９６のかかる再フォーマットにより、夫々のゲージのネイティブ・プロトコルの間の差異と無関係に、システム１００が測定値を様々なゲージから無線送信し、これらの測定値をコンピュータ１５２に入力してもよい。さらに、追加されたメタデータにより、最近較正されたゲージから測定値を特定するといった、改善された統計的処理制御および分析を可能とすることができる。下記でさらに詳細に説明するように、他の動作の中でも、ゲージ・アダプタ１２０ａによる測定値信号のかかる再フォーマットを、そこにインストールしたファームウェアにより制御および／または実装してもよい。当該ファームウェアをシステム１００により無線で更新してもよい。
【００５４】
測定値収集のさらなる改善をもたらすため、表示装置１９２（例えば、大型ディスプレイ）を、コンピュータ１５２に動作的に接続してもよい。上述のように、表示装置１９２を、コンピュータ１５２から受信した表示信号を表示するように構成してもよい。例えば、コンピュータ１５２を、ゲージ１０４ａにより出力された測定値２００を表す表示信号２２０を表示装置１９２に出力するように構成してもよい。例えば、操作者が測定値２００を表すデータをアセンブリ１０８のリモート位置から参照できるように、表示装置１９２を、ディスプレイ信号２２０を受信し、（例えば、視覚的に）ディスプレイ信号２２０を表示するように構成してもよい。
【００５５】
かかる構成により、操作者は、コンピュータ１５２、ゲージ・アダプタ１２０ａ、および表示装置１９２のうち１つまたは複数に隣接する必要なく、部品１５６の周りを移動し、かつ／または測定値２００を受理／拒否することができ、これにより、品質保証および／または統計的処理制御データ収集を実施するときの機敏性を高めることができる。例えば、図１に概略的に示すように、ゲージ・アダプタ１２０ａが第１の筐体２５０を含んでもよい。筐体２５０が入出力コントローラ１２８、ワイヤレス・ネットワーク・コントローラ１２４、および記憶装置１３２をサポートしてもよい。やはり図１に概略的に示すように、ワイヤレス・フィードバック装置１３６が第２の筐体２５４を含んでもよい。第２の筐体２５４が第１の筐体２５０に対して物理的に独立で独立に移動可能であってもよい。第２の筐体２５４がユーザ入力装置１４４およびワイヤレス・ネットワーク・コントローラ１４０をサポートしてもよい。上述のように、ユーザ入力装置１４４を、表示装置１９２に表示された測定値２００に関連するユーザ（例えば、操作者）により選択可能な複数の入力の１つに対応するユーザ入力を受信するように構成してもよい。ワイヤレス・ネットワーク・コントローラ１４０を、当該ユーザ入力を表すフィードバック信号２５８をコンピュータ１５２にワイヤレス・ベース・アダプタ１４８を介して無線で送信するように構成してもよい。
【００５６】
特に、（例えば、ユーザ入力装置１４４に含まれる）ワイヤレス・フィードバック装置１３６の複数の入力が、第２のサブシステム１７０のワイヤレス・フィードバック装置２６４の筐体に接続されるとして示されている複数のボタン２６２と同様に、複数のユーザ操作可能ボタンを含んでもよい。例えば、ユーザ入力装置１４４が受理ボタンおよび拒否ボタンを含んでもよい。幾つかの実施形態では、ワイヤレス・フィードバック装置１３６、２６４のうち１つまたは複数がＨＩＤキーボード入力ワイヤレス装置であってもよい。例えば、ユーザ入力装置１４４の受理ボタンが「Ｙ」ワイヤレス・キーボード入力（または他の適切な肯定文字または受理信号）に対応してもよく、ユーザ入力装置１４４の拒否ボタンが「Ｎ」ワイヤレス・キーボード入力（または他の適切な否定文字または拒否信号）に対応してもよい。したがって、ユーザ入力装置１４４により、ワイヤレス・フィードバック装置１３６は測定値（例えば、測定値２００）に関連する指示を（例えば、ユーザ）から受信することができる。
【００５７】
例えば、当該指示をユーザ入力装置１４４で手動で入力してもよく、当該指示がユーザにより選択可能な（例えば、入力またはボタン２６２と同様な）複数の入力のうち少なくとも１つに対応してもよい。したがって、上述したの同様に、無線計量アセンブリ１０８（例えば、ゲージ・アダプタ１２０ａ）を、測定値信号１９６をゲージ１０４ａから受信するように構成してもよい。測定値信号１９６が、ゲージ１０４ａにより出力された測定値２００を表してもよい。無線計量アセンブリ１０８（例えば、ゲージ・アダプタ１２０ａ）を、測定値信号１９６を表す通信信号２０４を無線で送信するようにさらに構成してもよい。基本アセンブリ１１２を、送信された通信信号２０４を（例えば、ベース・アダプタ１４８を介して）無線で受信するように構成してもよい。（例えば、受信した通信信号２０４に少なくとも部分的に基づいてコンピュータ１５２により生成された）ディスプレイ信号２２０が、ゲージ１０４ａにより出力された測定値２００の指示を含んでもよい。基本アセンブリ１１２（例えば、コンピュータ１５２）を、ディスプレイ信号２２０を表示装置１９２に通信するように構成してもよい。無線計量アセンブリ１０８（例えば、フィードバック装置１３６）を、入力された指示を表す（例えば、どの入力がユーザ入力装置１４４でユーザにより選択可能であったかを表す）フィードバック信号２５８を無線で送信するように構成してもよい。基本アセンブリ１１２（例えば、ベース・アダプタ１４８）を、フィードバック信号２５８を無線で受信するように構成してもよい。上述したのと同様に、ワイヤレス・フィードバック装置１３６が、ゲージ・アダプタ１２０ａに対して物理的に独立で独立に移動可能であってもよい。かかる構成により、品質保証および／または統計的処理制御データ収集（例えば、とりわけ、部品１５６の測定値の収集および受理／拒否）の人間工学的効率を高めることができる。
【００５８】
前述したように、システム１００が、第２のサブシステム１７０のような１つまたは複数の追加のワイヤレス・サブシステムを含んでもよい。これらの追加のサブシステムの各々が（例えば、基本アセンブリ１１２と同様な）基本アセンブリ、および（例えば、無線計量アセンブリ１０８と同様な）無線計量アセンブリを含んでもよい。例えば、第２のサブシステム１７０は、コンピュータ１６０およびワイヤレス・ベース・アダプタ２７４を含む基本アセンブリ２７０と、ワイヤレス・フィードバック装置２６４および複数のゲージ２８６ａ−ｄに接続された複数のゲージ・アダプタ２８２ａ−ｄを備える無線計量アセンブリ２７８とを含むとして図１に示されている。ゲージ２８６を、追加の製造部品２９０のような部品１５６および／または別の部品を測定するように動作させてもよい。
【００５９】
幾つかの実施形態では、システム１００のゲージ・アダプタ２８２（例えば、関連する１つまたは複数のゲージ）のうち１つまたは複数をサブシステムの間で交換（または当該サブシステムのうち１つまたは複数に追加）してもよい。かかる実施形態では、とりわけ、システム１００を、下記でさらに詳細に説明するように、１つまたは複数のゲージ・アダプタのネットワークＩＤを識別し特定のワイヤレス・ベース・アダプタにリンクできるように構成してもよい。
【００６０】
幾つかの実施形態では、他の再構成の中でも、システム１００のゲージ・アダプタの１つまたは複数をゲージ間で交換してもよく、かつ／または、新たなゲージに接続してもよい。かかる実施形態では、とりわけ、関連する１つまたは複数のゲージ・アダプタのファームウェアを、下記でさらに詳細に説明するように、関連するベース・アダプタからのワイヤレス送信を介して更新してもよい。
【００６１】
幾つかの実施形態では、様々なサブシステムからのディスプレイ信号を（例えば、並列に）ディスプレイ１９２に表示してもよい。しかし、幾つかの実施形態では、当該サブシステムのうち１つまたは複数が、関連するディスプレイ信号が表示される（例えば、６０”フラットパネルディスプレイ、またはユーザによる遠くからの測定値の視覚的検証に適した他の比較的大型なディスプレイのような）専用ディスプレイを有してもよい。
【００６２】
幾つかの実施形態では、専用ディスプレイが装置１３６のような関連するワイヤレス・フィードバック装置から分離してもよく、図１の表示装置１９２から分離してもよい。しかし、幾つかの実施形態では、当該ディスプレイのうち１つまたは複数を、１つまたは複数の関連付けられたワイヤレス・フィードバック装置に含めてもよい。例えば、ディスプレイ１９２が比較的小さくてもよく、筐体２５４に接続してもよい。さらに、幾つかの実施形態では、無線計量アセンブリのうち１つまたは複数が複数の関連するゲージ・アダプタでインデックス付けした複数のワイヤレス・フィードバック装置を含んでもよく、統合機能を有する共通の筐体に含めてもよい。
【００６３】
システム１００の例示的な態様をさらに詳細に説明する。特に、図２は例示的なゲージ・アダプタ１２０のさらに詳細なブロック図を示す。例えば、入出力コントローラ１２８がハードウェア割込みデータ・バッファ３０４を有するアプリケーション・マイクロ・コントローラ３００、ＲＡＭ測定値バッファ３０８、測定データをフォーマットするためのＣＰＵ（またはプロセッサ）３１２、および無線プロセッサ・インタフェース３１６を含んでもよい。ワイヤレス・ネットワーク・コントローラ１２４が、無線プロセッサ特殊用途向け集積回路（ＡＳＩＣ）３２０、モデムＡＳＩＣ３２４、およびアンテナ３２６を含んでもよい。無線プロセッサＡＳＩＣ３２０が、マイクロ・コントローラ・インタフェース３２８、符号化／復号化デジタル・ワイヤレス・パケット（またはフレーム）のためのプロセッサ３３２、データ・バッファ３３６、およびモデム・インタフェース３４０を含んでもよい。モデムＡＳＩＣ３２４が無線プロセッサ・インタフェース３４４、変調器／復調器ユニット３４８、およびアンテナ・インタフェース３５２を含んでもよい。ゲージ・アダプタ１２０ａがさらに（再充電可能）電源３５６、電源スイッチ３６０、およびライト３６４を含んでもよい。
【００６４】
例えば、電源スイッチ３６０がＯＦＦ状態からＯＮ状態に操作されたとき、電源３５６を、マイクロ・コントローラ３００、無線プロセッサＡＳＩＣ３２０、モデムＡＳＩＣ３２４、記憶装置１３２、およびライト３６４のようなゲージ・アダプタ１０２の回路に電力を供給するように構成してもよい。電源３５６を、例えば、ゲージ・アダプタ１２０のＵＳＢポートを介して再充電するように構成してもよい。
【００６５】
マイクロ・コントローラ３００のバッファ３０４を（例えば、適切なインタフェースを介して）ゲージ１０４のゲージ・データ出力３６８に接続してもよい。無線プロセッサ・インタフェース３１６をマイクロ・コントローラ・インタフェース３２８に接続してもよい。モデム・インタフェース３４０を無線プロセッサ・インタフェース３４４に接続してもよい。アンテナ・インタフェース３５２をアンテナ３２６に接続してもよい。ライト３６４を、マイクロ・コントローラ３００に接続してもよく、ゲージ・アダプタ１２０のネットワークＩＤを示す視覚的信号を、例えば、そのように要求されたときに、ユーザに放出するように制御してもよい。これについては下記でさらに詳細に説明する。
【００６６】
図３はワイヤレス・ベース・アダプタ１４８のさらに詳細なブロック図を示す。例えば、アダプタ１４８がアプリケーション・マイクロ・コントローラ４００、無線プロセッサＡＳＩＣ４０４、モデムＡＳＩＣ４０８、アンテナ４１２、ＵＳＢ変換集積回路（ＩＣ）４１６、およびＵＳＢ人間のインタフェース装置（ＨＩＤ）キーボード変換器（またはマイクロ・コントローラ）４２０に対するＩ２Ｃを含んでもよい。マイクロ・コントローラ４００が、汎用非同期送受信回路（ＵＡＲＴ）４２４、ＲＡＭ測定値バッファ４２８、測定データをフォーマットするためのＣＰＵ４３２、および無線プロセッサ・インタフェース４３６を備えてもよい。アダプタ１４８が、ローカル・ネットワークに含まれたネットワーク識別情報またはゲージのゲージ識別情報を格納するためのような、ローカル記憶装置４３８を有してもよい。
【００６７】
ゲージ・アダプタ１２０の無線プロセッサＡＳＩＣ３２０と同様に、無線プロセッサＡＳＩＣ４０４がマイクロ・コントローラ・インタフェース４４０、符号化／復号化デジタル・ワイヤレス・パケット（またはフレーム）向けプロセッサ４４４、データ・バッファ４４８、およびモデム・インタフェース４５２を含んでもよい。ゲージ・アダプタ１２０ａのモデムＡＳＩＣ３２４と同様に、モデムＡＳＩＣ４０８が無線プロセッサ・インタフェース４５６、変調器／復調器ユニット４６０、およびアンテナ・インタフェース４６４を含んでもよい。ＵＳＢ変換ＩＣ４１６が別のＵＡＲＴ４６８およびＵＳＢ信号変換ユニット４７２を含んでもよい。
【００６８】
図３に示すように、アンテナ４１２をアンテナ・インタフェース４６４に接続してもよい。無線プロセッサ・インタフェース４５６をモデム・インタフェース４５２に接続してもよい。マイクロ・コントローラ・インタフェース４４０を無線プロセッサ・インタフェース４３６に接続してもよい。マイクロ・コントローラ４００のＵＡＲＴ４２４をＵＳＢ変換ＩＣ４１６のＵＡＲＴ４６８および変換器４２０に接続してもよい。ＵＳＢ信号変換ユニット４７２をコンピュータ１５２のＵＳＢポート４７６（例えば、第１のＵＳＢポート）に接続してもよい。同様に、変換器４２０をコンピュータ１５２のＵＳＢポート４７６（例えば、第２のＵＳＢポート）に接続してもよい。ＵＳＢポート４７６を、例えば入出力バスを介して、例えばワイヤレス・アダプタ管理システムを実行および／または操作するためにコンピュータ１５２の１つまたは複数のシステム・コンポーネント４８０に接続してもよい。
【００６９】
図４は、１実施形態により（および／またはそれと関連して）実施される例示的な動作を示す流れ図であり、プログラムの完全なプロセスまたは全てのステップについては記載していないかもしれない。特に、図４は、一般的に５００で示した方法の複数のステップを示す。当該ステップを、システム１００と関連して実施してもよい。例えば、システム１００の諸態様を後述の方法のステップの実施において利用してもよい。適切な場合は、各ステップを実行する際に使用できる前述のコンポーネントおよびシステムを参照してもよい。これらの参照は例示のためであって、当該方法の任意の特定のステップを実行する可能な方法を限定する意図はない。
【００７０】
示したように、方法５００が、人間の操作者がゲージ測定値を、例えば、ゲージ１０４ａでトリガするステップ５０４を含んでもよい。例えば、当該ゲージ測定値が前述の測定値２００に対応してもよい。ステップ５０４で、ハードウェア割込みデータ・バッファ３０４（図２を参照）が、測定値２００（または測定値信号１９６）を出力３６８から受信してもよい。
【００７１】
方法５００がさらに、ゲージ・アダプタが測定メッセージ（例えば、通信信号２０４）をベース・アダプタ（例えば、ベース・アダプタ１４８）に無線で送信するステップ５０８を含んでもよい。例えば、ステップ５０８で測定値２００および／または測定値信号１９６（例えば、計量記憶装置１３２からのゲージ固有データ）をＲＡＭ測定値バッファ３０８に格納してもよい。ＣＰＵ３１２が、測定値２００および／または測定値信号１９６（および／またはゲージ固有データ）をフォーマットして、通信信号２０４を生成してもよい。通信信号２０４を無線プロセッサ・インタフェース３１６からマイクロ・コントローラ・インタフェース３２８へ送信してもよい。プロセッサ３３２が通信信号２０４を１つまたは複数のデジタル・ワイヤレス・パケット（またはフレーム）に符号化してもよく、１つまたは複数のデジタル・ワイヤレス・パケット（またはフレーム）をデータ・バッファ３３６にロードして、モデム・インタフェース３４０から無線プロセッサ・インタフェース３４４に渡してもよい。ユニット３４８が、通信信号２０４（例えば、１つまたは複数のデジタル・フレーム）を、例えばＺｉｇＢｅｅネットワーク・プロトコルのようなワイヤレス・ネットワーク・プロトコルに従って変調してもよい。アンテナ・インタフェース３５２が、変調された通信信号２０４をアンテナ３２６に出力してもよい。アンテナ３２６が、変調された通信信号２０４をベース・アダプタ１４８に無線送信してもよい。
【００７２】
方法５００がさらに、ベース・アダプタ１４８が通信信号２０４のような測定メッセージをコンピュータ１５２に出力するステップ５１２を含んでもよい。例えば、ステップ５１２で、アンテナ４１２（図３を参照）が変調された通信信号２０４を受信し、変調された通信信号２０４をユニット４６０にインタフェース４６４を介して送信してもよい。ユニット４６０が、変調された通信信号２０４を復調してもよい。変調された通信信号２０４をデータ・バッファ４４８にインタフェース４５６、４５２を介してロードしてもよい。プロセッサ４４４が、符号化された通信信号２４０の１つまたは複数のデジタル・ワイヤレス・パケット（またはフレーム）を復号化してもよい。復号化された通信信号２０４をＣＰＵ４３２にインタフェース４４０、４３６を介して渡してもよい。ＣＰＵが、復号化された通信信号２０４に含まれる測定データ（例えば、測定値２００）をフォーマットして、フォーマットされた通信信号２０４を生成してもよい。フォーマットされた通信信号２０４をバッファ４２８に格納し、ＵＡＲＴ４２４を介してコンピュータ１５２に出力してもよい。例えば、ＵＡＲＴ４２４が、フォーマットされた通信信号２４０を、コンピュータ１５２のＵＳＢ４７６にＩＣ４１６（例えば、ＵＡＲＴ４６８およびＵＳＢ信号変換ユニット４７２）および変換器４２０のうち１つまたは複数を介して出力してもよい。ＩＣ４１６がコンピュータ１５２に対する「仮想」ＣＯＭポートを形成してもよい。変換器４２０が、（例えば、変換器４２０に含まれる）別のマイクロ・コントローラへのＩ２Ｃインタフェースであってもよい。当該別のマイクロ・コントローラは、ＵＳＢ  ＨＩＤキーボード入力へのデータ変換を実施してもよい。かかる構成により、ベース・アダプタ１４８が、送信データ（例えば、測定メッセージを含むフォーマットされた通信信号２０４）をワイヤレス・アダプタ管理ソフトウェアに従来のＣＯＭポートを介して送信できるだけでなく、入力データ（例えば、測定値２００のような測定値）を（例えば、ゲージ・アダプタ１２０ａ−ｄおよびゲージ１０４ａ−ｄを含む）ゲージ・ネットワークからスプレッド・シート、テキスト・ドキュメント、またはテキスト入力ボックスにキーボードと同様な形式で送信できるようにしてもよい。
【００７３】
図４に示すように、方法５００がさらに、コンピュータ１５２が測定メッセージを表す情報を人間の操作者に表示するステップ５１６を含んでもよい。例えば、ステップ５１６で、コンピュータ１５２のコンポーネント４８０が、フォーマットされた通信信号２０４に少なくとも部分的に基づいてディスプレイ信号２２０（図１を参照）を生成し、ディスプレイ信号をディスプレイ１９２に出力してもよい。ディスプレイ１９２はディスプレイ信号２２０を表示してもよく、それにより、測定メッセージを表す情報を人間の操作者に表示する。例えば、ディスプレイ１９２上の信号２２０の表示が、ディスプレイ１９２上の測定値２００の視覚的表現を生成するステップを含んでもよい。人間の操作者は当該視覚的表現を、ストリンガの反対側のような遠方から参照することができる。
【００７４】
方法５００がさらに、人間の操作者が、ワイヤレス・フィードバック装置１３６（図１を参照）のようなリモート入力装置を用いて受理／拒否入力をコンピュータ１５２に無線で送信するステップ５２０を含んでもよい。例えば、ステップ５２０で、人間の操作者が測定値２００をディスプレイ１９２で参照し、フィードバック信号２５８をネットワーク・コントローラ１４０からベース・アダプタ１４８に送信するようにユーザ入力装置１４４を操作してもよい。
【００７５】
方法５００がさらに、測定メッセージを受理できるかどうかを判定するステップ５２４を含んでもよい。例えば、ステップ５２４で、ベース・アダプタ１４８がフィードバック信号２５８をコンピュータ１５２に送信してもよい。フィードバック信号２５８に少なくとも部分的に基づいて、コンピュータ１５２が当該測定メッセージ（例えば、測定値２００および／または対応する通信信号２０４）が受理可能であるかどうかを判定してもよい。特に、フィードバック信号２５８が受理入力に対応する場合、コンピュータ１５２が、当該測定メッセージが受理可能であるであると判定してもよい。しかし、フィードバック信号２５８が拒否入力に対応する場合、コンピュータ１５２が当該測定メッセージを受理できないと判定してもよい。当該測定メッセージが受理可能であると判定された場合、方法５００は、当該測定メッセージを例えば第１の記憶装置に格納するステップ５２８に進んでもよい。しかし、当該測定メッセージを受理できないと判定された場合、方法５００は当該測定メッセージを格納しないステップ５３２に進んでもよい。例えば、ステップ５３２で当該測定メッセージを無視してもよく、かつ／または、別のゲージ測定をトリガするように（例えば、ディスプレイ１９２上のメッセージを介して）人間の操作者に指示してもよい。
【００７６】
図５は、１実施形態により（および／またはそれと関連して）実施される例示的な動作を示す流れ図であり、プログラムの完全なプロセスまたは全てのステップについては記載していないかもしれない。特に、図５は、一般的に６００で示したゲージ測定値を通信するための方法の複数のステップを示す。当該ステップを、システム１００と関連して実施してもよい。例えば、システム１００の諸態様を後述の方法のステップで利用してもよい。適切な場合は、各ステップを実行する際に使用できる前述のコンポーネントおよびシステムを参照してもよい。これらの参照は例示のためであって、当該方法の任意の特定のステップを実行する可能な方法を限定する意図はない。
【００７７】
示したように、方法６００が、ゲージにより出力された測定値（例えば、測定値２００）を表す測定値信号（例えば、測定値信号１９６）をゲージ（例えば、ゲージ１０４ａ）から受信するステップ６０４を含んでもよい。例えば、ステップ６０４で、入出力コントローラ１２８が、測定値信号１９６をゲージ１０４ａから受信してもよい。幾つかの実施形態では、ゲージが、複数のフォーマットのうち第１のフォーマットに従ってフォーマットされた測定値を有する測定値信号を出力してもよい。例えば、ゲージ１０４ａが、第１のフォーマットに従ってフォーマットされた測定値２００を有する測定値信号１９６を出力してもよい。測定値２００においては、所定の幾つかのビットが、生の状態の測定値２００に対応する測定値信号１９６においてゲージ１０４ａにより出力される。他の実施形態では、第１のフォーマットに従ってフォーマットされた測定値２００が、測定値２００およびそれに続く測定値信号１９６内のキャリッジ・リターン（または他のインジケータ）に対応してもよい。
【００７８】
方法６００がさらに、受信した測定値を含む通信信号（例えば、通信信号２０４）を生成するステップ６０８を含んでもよい。例えば、ステップ６０８で、入出力コントローラ１２８が通信信号２０４を生成してもよい。幾つかの実施形態では、方法６００がさらに、本明細書で説明したゲージ・タイプ、ＩＤ、および／または他のゲージ固有のメタデータのようなゲージ固有情報を記憶装置（例えば、記憶装置１３２）に格納するステップを含んでもよい。かかる実施形態では、ステップ６０８が、（例えば、装置１３２に格納された）ゲージ固有情報を有する通信信号２０４を生成するステップを含んでもよい。例えば、通信信号２０４をゲージ固有情報で生成するステップが、当該ゲージ固有情報を受信した測定値に追加するステップを含んでもよい。
【００７９】
幾つかの実施形態では、方法６００がさらに（および／またはステップ６０８が）複数のフォーマットのうち第２のフォーマットに従ってフォーマットされた測定値を有する通信信号を生成するステップを含んでもよい。例えば、当該第２のフォーマットが、測定値２００に追記されかつ／または通信信号２０４に含まれているゲージ固有情報に対応してもよい。幾つかの実施形態では、当該第２のフォーマットが標準化されたシリアル・プロトコルに対応して（および／または従って）もよい。例えば、入出力コントローラ１４４を、測定値信号１９６のビット単位変換を実施して、測定値２００を標準化されたシリアル・プロトコルに再フォーマットするように構成してもよい。
【００８０】
方法６００がさらに、ワイヤレス・プロトコルに従って通信信号を無線で送信するステップ６１２を含んでもよい。例えば、ステップ６１２で、ゲージ・アダプタ１２０ａのネットワーク・コントローラ１２４が、ＩＥＥＥ８０２．１５．４ワイヤレス通信標準を有するＺｉｇＢｅｅネットワーク・プロトコルに従って、通信信号２０４を無線送信してもよい。
【００８１】
方法６００がさらに、送信された通信信号を無線で受信するステップ６１６を含んでもよい。例えば、ステップ６１６で、ベース・アダプタ１４８のモデムＡＳＩＣ４０８がアンテナ４１２を介して通信信号２０４を受信してもよい
【００８２】
方法６００がさらに、受信された通信信号から測定値を決定するステップ６２０を含んでもよい。例えば、ステップ６２０で、通信信号２０４を、モデムＡＳＩＣ４０８、無線プロセッサ４０４、およびマイクロ・コントローラ４００により処理し、ＵＡＲＴ４２４を介してコンピュータ１５２に出力してもよい。コンピュータ１５２のシステム・コンポーネント４８０が測定値２００を受信した通信信号２０４から決定してもよい。
【００８３】
方法６００がさらに、前述の第１の記憶装置のような第１の記憶装置にステップ６２０の決定された測定値を格納するステップ６２４を含んでもよい。幾つかの実施形態では、当該決定された測定値を、ユーザにより受理された場合にのみ、第１の記憶装置に格納してもよい。例えば、方法６００がさらに、ボタン２６２のような１つまたは複数の入力に対応するユーザ入力を受信するステップを含んでもよい。当該複数の入力がユーザにより選択可能であってもよく、ステップ６０４でゲージにより出力された測定値に関連してもよい。より具体的には、方法６００がさらに、コンピュータ１５２により表示装置１９２にディスプレイ信号２２０を出力するステップを含んでもよい。前述のように、ディスプレイ信号２２０がゲージ１０４ａにより出力された測定値２００を表してもよい。例えば、上述のユーザ入力を受信するステップが、装置１３６のようなワイヤレス・フィードバック装置上で、表示装置１９２に表示された測定値２００に関連するユーザにより選択可能な複数の入力の１つに対応するユーザ入力を受信するステップを含んでもよい。かかる実施形態では、とりわけ、方法６００がさらに、ワイヤレス・フィードバック装置により、信号２５８のようなフィードバック信号を無線で送信するステップと、受信されたフィードバック信号に少なくとも部分的に基づいて、決定された測定値を処理するステップとを含んでもよい。例えば、ユーザが測定値２００を拒否したことを当該フィードバック信号が示す場合、コンピュータ１５２は測定値２００を削除するかまたは無視してもよい。
【００８４】
幾つかの実施形態では、ステップ６０４、６０８、６１２を無線計量アセンブリ（例えば、アセンブリ１０８）により実施してもよい。例えば、無線計量アセンブリ１０８が、（例えば、ネットワーク・コントローラ１２４および入出力コントローラ１２８のうち１つまたは複数に含まれる）ファームウェアおよび第２の記憶装置（例えば、計量記憶装置１３２）を含んでもよい。かかる実施形態では、方法６００がさらに、第２の記憶装置に無線計量アセンブリ１０８のファームウェアに対する第１の構成を格納するステップと、第１の記憶装置（例えば、データベース１８０および／またはコンピュータ１５２に関連付けられた別の記憶装置）で無線計量アセンブリ１０８のファームウェアに対する第２の構成を読み取るステップとを含んでもよい。方法６００がさらに、無線計量アセンブリ１０８のファームウェアに対する第２の構成を無線計量アセンブリ１０８に無線で送信するステップと、無線計量アセンブリ１０８により、無線計量アセンブリ１０８のファームウェアに対する第２の構成を受信するステップとを含んでもよい。方法６００がさらに、第２の記憶装置（例えば、記憶装置１３２）で、無線計量アセンブリ１０８のファームウェアに対する第１の構成を無線計量アセンブリ１０８のファームウェアに対する受信された第２の構成で置き換えるステップを含んでもよい。ファームウェアのかかる再構成により、システム１００の関連するゲージからのデータ収集を改善することができ、ゲージ固有情報またはデータを１つまたは複数の関連する通信信号に含めることができ、かつ／または、収集した測定値（および／または関連するプロセス）を統計分析することができる。
【００８５】
例えば、図１に戻ると、無線計量アセンブリ１０８（例えば、ゲージ・アダプタ１２０ａ）が構成可能なファームウェアを含んでもよい。第１の記憶装置が、とりわけ、無線計量アセンブリ１０８（例えば、ゲージ・アダプタ１２０ａ）のファームウェアに対する第２の構成を格納してもよい。コンピュータ１５２を、無線計量アセンブリ１０８（例えば、ゲージ・アダプタ１２０ａ）のファームウェアに関する第２の構成を読み取るように構成してもよい。コンピュータ１５２を、無線計量アセンブリ１０８（例えば、ゲージ・アダプタ１２０ａ）のファームウェアに関する第２の構成を、ベース・アダプタ１４８を介してアセンブリ１０８（例えば、ゲージ・アダプタ１２０ａ）に無線で送信するように構成してもよい。アセンブリ１０８（例えば、ゲージ・アダプタ１２０ａ）を、当該ファームウェアの既存の第１の構成を当該ファームウェアに対する受信された第２の構成で置き換えるように構成してもよい。更新されたファームウェア構成のかかるワイヤレス送信により、アセンブリ１０８の１つまたは複数のゲージ・アダプタをより効率的に再構成することができる。当該ゲージ・アダプタにより、例えば、ゲージ・アダプタをより容易に接続でき、ゲージ・アダプタが異なるゲージからの測定値を無線送信でき、かつ／またはゲージ・アダプタをサブシステム間で交換することができる。
【００８６】
例えば、前述のように、ゲージ１０４ａが複数のフォーマットのうち第１のフォーマットに従ってフォーマットされた測定値２００を用いて測定値信号１９６を出力してもよい。第１の記憶装置が、当該複数のフォーマットごとに無線計量アセンブリ１０８（例えば、ゲージ・アダプタ１２０ａ）に対するファームウェアのバージョンを格納してもよい。コンピュータ１５２を、当該第１のフォーマットがゲージ（例えば、ゲージ１０４ａ）に対して適切であるという指示をユーザから受信するように構成してもよい。例えば、コンピュータ１５２で実行されているワイヤレス・アダプタ管理ソフトウェア・アプリケーションを、ユーザが当該指示をそれに入力できるように構成してもよい。コンピュータ１５２を、当該第１のフォーマットに対するアセンブリ１０８（例えば、ゲージ・アダプタ１２０ａ）のファームウェアのバージョンを読み取るように構成してもよい。コンピュータ１５２を、（例えば、当該第１のフォーマットに対する）ファームウェアの読み取ったバージョンをアセンブリ１０８（例えば、ゲージ・アダプタ１２０ａ）に無線で送信するように構成してもよい。アセンブリ１０８（例えば、ゲージ・アダプタ１２０ａ）を、送信されたファームウェアをインストールして、例えば、ゲージ・アダプタ１２０ａが当該第１のフォーマットの測定値２００を有する受信された測定値信号１９６を当該第２のフォーマットの測定値２００を有する通信信号２０４に変換できるようにに構成してもよい。
【００８７】
上述のように、ゲージ１０４ａが、複数のフォーマットのうち第１のフォーマットに従ってフォーマットされた測定値２００を有する測定値信号１９６を出力してもよい。したがって、方法６００のステップ６０４、６０８、６１２（図５を参照）がファームウェアを有する無線計量アセンブリ１０８（例えば、ゲージ・アダプタ１２０ａ）により実施される場合、方法６００がさらに、当該複数のフォーマットごとに無線計量アセンブリのファームウェアのバージョンを第１の記憶装置（例えば、データベース１８０、コンピュータ１５２の記憶装置および／またはコンピュータ１６０の記憶装置）に格納するステップを含んでもよい。方法６００がさらに、当該第１のフォーマットがゲージ１０４ａに適切であるという指示をユーザから受信するステップを含んでもよい。例えば、ユーザは、コンピュータ１５２で実行されているワイヤレス・アダプタ管理ソフトウェア・アプリケーションに当該指示を入力してもよい。幾つかの実施形態では、方法６００がさらに、第１のフォーマットに従ってフォーマットされた測定値を（例えば、ゲージ・アダプタ１０４ａにより）処理するのを提供するファームウェアのバージョンを決定するステップを含んでもよい。例えば、当該決定ステップをユーザおよびコンピュータ１５２のうち１つまたは複数により実施してもよい。
【００８８】
方法６００がさらに、（例えば、コンピュータ１５２により）ファームウェアの決定されたバージョンを第１の記憶装置から読み取るステップを含んでもよい。方法６００がさらに、当該ファームウェアの読み取ったバージョンを無線計量アセンブリ（例えば、ゲージ・アダプタ１２０ａ）にベース・アダプタ１４８を介して無線で送信するステップを含んでもよい。方法６００がさらに、無線計量アセンブリ１０８により（例えば、ゲージ・アダプタ１２０ａのネットワーク・コントローラ１２４により）当該ファームウェアの送信されたバージョンを受信するステップを含んでもよい。方法６００がさらに当該ファームウェアの受信されたバージョンを無線計量アセンブリにインストールするステップを含んでもよい。例えば、方法６００が、ゲージ・アダプタ１２０ａがネットワーク・コントローラ１２４により受信されたファームウェアのバージョンをインストールし、それにより、ゲージ・アダプタ１２０ａが測定値２００を処理し、（例えば、第２のフォーマットに従ってフォーマットされた測定値２００を含む）対応する通信信号２０４を基本アセンブリ１１２に送信できるようにするステップを含んでもよい。
【００８９】
より具体的には、図６および７は、無線計量アセンブリ１０８の１実施形態の夫々の詳細な動作７００、８００を示し、図８はベース・アダプタ１４８の１実施形態の詳細な動作９００を示す。
【００９０】
図６に示すように、動作７００が割込みのステップ７０４、バッファ流入データのステップ７０８、読取準備完了決定のステップ７１２、読取りフラグ設定のステップ７１６、および復帰のステップ７２０を含んでもよい。例えば、ステップ７０４で、ゲージ・アダプタ１２０ａの電源スイッチ３６０がＯＮ状態にあってもよく、人間の操作者が部品１５６の測定をゲージ１０４ａでトリガしてもよい。その結果、測定値２００が測定値信号１９６においてゲージ１０４ａにより出力される。かかる割込み（またはゲージ１０４ａおよび／または人間の操作者によりゲージ・アダプタ１２０ａに提供された他の信号）がゲージ・アダプタ１２０ａをスリープ・モードから起動してもよい。ステップ７０４はステップ７０８に進んでもよい。ステップ７０８で、流入データ（例えば、測定値信号１９６）が計量記憶装置１３２および／またはＲＡＭ測定値バッファ３０８のような記憶装置にバッファされる。ステップ７０８はステップ７１２に進んでもよい。ステップ７１２で、ゲージ・アダプタ１２０ａが、完全な読取りの準備ができているかどうかを判定してもよい。例えば、ステップ７１２で、入出力コントローラ１２８が、測定値信号１９６が完全に受信されかつ／またはＣＰＵ３１２により適切にフォーマットされたかどうかを判定してもよい。完全読取りの準備ができていないと判定された場合、動作７００はステップ７０８に戻り、流入データのバッファリングを継続してもよい。しかし、完全な読取りの準備ができていると判定された場合、動作７００はステップ７１６に進んでもよい。ステップ７１６で読取りフラグを設定してもよい。例えば、当該読取りフラグをネットワーク・コントローラ１２４および入出力コントローラ１２８の何れかで設定してもよい。当該読取りフラグが設定されると、動作はステップ７２０に進んでもよい。ステップ７２０で、ゲージ・アダプタ１２０ａのスリープ機能により、例えば、後続の割込みステップ７０４が実施されるまで、コントローラ１２４、１２８のうち１つまたは複数をスリープ状態に移行／復帰させてもよい。
【００９１】
図７に示すように、動作８００が、開始ステップ８０４、初期化ステップ８０８、ネットワーク識別（ＩＤ）要求決定ステップ８１２、レポートポートネットワークＩＤステップ８１６、読取りフラグ設定決定ステップ８２０、スリープ無線ステップ８２４、スリープＣＰＵステップ８２８、負荷読込みメッセージステップ８３２、クリア読取りフラグステップ８３６、送信メッセージステップ８４０、応答ステータス送信待機ステップ８４４、および割込みステップ８４８（例えば、これらが動作７００のうち１つまたは複数に対応してもよい）を含んでもよい。
【００９２】
より具体的には、ステップ８０４で、人間の操作者が、スイッチ３６０をＯＦＦ状態からＯＮ状態に操作することによって、ゲージ・アダプタ１２０ａに電源を入れてもよい。結果として、動作８００は例えばステップ８０８に進んでもよい。ステップ８０８で、ゲージ・アダプタ１２０ａを初期化してもよい。初期化されると、動作８００はステップ８１２に進んでもよい。ステップ８１２で、ゲージ・アダプタ１２０ａが、ゲージ・アダプタ１２０ａのネットワークＩＤが要求されているかどうかを判定してもよい。例えば、人間の操作者が、スイッチ３６０をＯＮ状態に保つことによってゲージ・アダプタ１２０ａのネットワークＩＤを要求してもよい。ゲージ・アダプタ１２０ａのネットワークＩＤが要求されているとステップ８１２で判定された場合、動作８００はステップ８１６に進んでもよい。ステップ８１６で、ゲージ・アダプタ１２０ａが、ゲージ・アダプタ１２０ａのネットワークＩＤを、例えば、ライト３６４（または他の適切なインジケータ）から光信号（例えば、所定の点灯シーケンス）を放出することにより報告してもよい。当該光信号がゲージ・アダプタ１２０ａのネットワークＩＤを人間の操作者に示してもよい。人間の操作者がゲージ・アダプタ１２０ａのネットワークＩＤを、例えば、コンピュータ１５２で実行されているワイヤレス・アダプタ管理ソフトウェア・アプリケーションに入力してもよく、それにより上述のようにベース・アダプタ１４８によるゲージ・アダプタ１２０の識別および／またはその間のデータのワイヤレス通信が可能となる。
【００９３】
ゲージ・アダプタ１２０ａがそのネットワークＩＤを報告し、かつ／または、ステップ８１２でゲージ・アダプタ１２０ａのネットワークＩＤが現在要求されていないと判定されると、動作８００はステップ８２０に進んでもよい。ステップ８２０で、ゲージ・アダプタ１２０ａ（例えば、マイクロ・コントローラ３００およびＡＳＩＣ３２０、３２４のうち１つまたは複数）が、例えば、動作７００のステップ７１６で、読取りフラグが設定されているかどうかを判定してもよい。当該読取りフラグが（例えば、現在）設定されていないと判定された場合、動作８００はステップ８２４に進み、ステップ８２８に進んでもよい。ステップ８２４でＡＳＩＣ３２０、３２４のうち１つまたは複数がスリープ・モードに入ってもよく、ステップ８２８でＣＰＵ３１２がスリープ・モードに入ってもよい。しかし、当該読取りフラグが設定されている（例えば、現在設定されている）と判定された場合、動作８００はステップ８３２に進んでもよい。ステップ８３２で、マイクロ・コントローラ３００および／または無線プロセッサＡＳＩＣ３２０が測定値信号１９６を通信信号２０４のようなメッセージにロードしてもよい。当該測定値信号を当該メッセージにロードした後（またはロードする間）、動作８３２はステップ８３６に進んでもよい。ステップ８３６で、ステップ７１６で設定された読取りフラグをクリアしてもよい。動作８００はステップ８４０に進んでもよい。ステップ８４０で、当該メッセージを送信（例えば、ベース・アダプタ１４８に無線送信）してもよい。例えば、ステップ８４０で、ユニット３４８が、通信信号２０４を変調し、変調された通信信号２０４をベース・アダプタ１４８にアンテナ３２６を介して無線送信してもよい。
【００９４】
動作８００はステップ８４４に進んでもよい。ステップ８４４で、ゲージ・アダプタ１２０ａが応答ステータスの送信を待機してもよい。例えば、ステップ８４４で、ゲージ・アダプタ１２０ａが、通信信号２０４の受信に成功したことを示す送信応答ステータスをゲージ・アダプタ１２０ａがベース・アダプタ１４８から受信するまで、スリープ・モードに入らなくてもよい。幾つかの実施形態では、ゲージ・アダプタ１２０ａを、例えば、ゲージ・アダプタ１２０ａが送信応答ステータスをベース・アダプタ１４８から所定時間（例えば、３秒）内に受信しない場合に、通信信号２０４を再送するように構成してもよい。ゲージ・アダプタ１２０ａが送信応答ステータスを受信すると、動作８００はステップ８２４、８２８に進んでもよい。ステップ８２４、８２８で、ゲージ・アダプタ１２０ａのスリープ機能を、例えば、（例えばステップ８４８で）後続の割込みまで、ゲージ・アダプタ１２０ａの関連するコンポーネントを夫々のスリープ・モードに遷移するように構成してもよい。上述のように、ステップ８４８がステップ７０４、７０８、７１２、７１６、７２０のような、動作７００のうち１つまたは複数を含んでもよい。示したように、ステップ８４８で割込み（および／または動作７００の他のステップ）が実施されると、動作８００は例えば、後続のベース・アダプタ１４８へのワイヤレス送信のために、ステップ８２０に戻ってもよい。
【００９５】
幾つかの実施形態では、ワイヤレス・フィードバック装置１３６、２６４の何れかを、動作７００、８００のうち１つまたは複数と同様な１つまたは複数の動作を実施するように構成してもよい。例えば、装置１３６が、例えばユーザがユーザ入力装置１４４の複数の入力のうち１つまたは複数を選択し、それによりネットワーク・コントローラ１４０を同様な割込みステップで起動するまで、ネットワーク・コントローラ１４０をスリープ・モードで動作させるように構成されたスリープ機能を備えてもよい。さらに、ネットワーク・コントローラ１４０は、ステップ８４０と同様なステップでフィードバック信号２５８を送信し、例えば、ステップ８２４と同様なステップでスリープ・モードに戻ってもよい。
【００９６】
図８に示すように、ベース・アダプタ１４８の動作９００が開始ステップ９０４、初期化ステップ９０８、ゲージ・ネットワークＩＤ要求決定ステップ９１２、要求ゲージ・ネットワークＩＤステップ９１６、ネットワークＩＤ受信判定ステップ９２０、メッセージ受信決定ステップ９２４、および出力ステップ９２８を含んでもよい。
【００９７】
より具体的には、ステップ９０４でベース・アダプタ１４８に、例えば、関連する電源スイッチの動作により、および／または、コンピュータ１５２とのＵＳＢ接続を介して、電源を入れてもよい。電源が入れられると、動作９００はステップ９０８に進んでもよい。ステップ９０８でベース・アダプタ１４８を初期化してもよい。ベース・アダプタ１４８が初期化されると、動作９００はステップ９１２に進んでもよい。ステップ９１２で、ベース・アダプタ１４８が、ゲージ・ネットワークＩＤ（例えば、ゲージ・アダプタ１２０ａおよび／または別のゲージ・アダプタのネットワークＩＤ）がコンピュータ１５２で実行されているワイヤレス・アダプタ管理ソフトウェア・アプリケーションのような管理者により要求されているかどうかを判定してもよい。例えば、コンピュータ１５２を操作している人間の操作者（または別のユーザ）が、特定のゲージ・アダプタ（および／または関連するゲージ・タイプ）のネットワークＩＤの要求を当該ソフトウェア・アプリケーションに入力してもよい。
【００９８】
ゲージ・ネットワークＩＤが要求されたと判定された場合、動作９００はステップ９１６に進んでもよい。幾つかの実施形態では、ステップ９１６で、ベース・アダプタ１４８が、ゲージ・ネットワークＩＤ要求をゲージ・アダプタ１２０ａに送信してもよい。ゲージ・アダプタ１２０ａが、そのネットワークＩＤをベース・アダプタ９１６に送信し戻してもよい。しかし、他の実施形態では、ステップ９１６が、人間の操作者がゲージ・アダプタ１２０ａのネットワークＩＤを直接、例えば、上述のように電源スイッチ３６０を押さえておくことによって要求するステップを含んでもよい。ステップ９１６はステップ９２０に進んでもよい。ステップ９２０で、（例えば、ベース・アダプタ１４８により、および／または、人間の操作者がゲージ・アダプタ１２０ａのネットワークＩＤを当該ソフトウェア・アプリケーションに入力することにより）ゲージ・アダプタ１２０ａのネットワークＩＤが受信されたかどうかを判定してもよい。ステップ９２０で当該ネットワークＩＤが受信されなかったと判定された場合、動作９００はステップ９１６に戻ってもよい。しかし、ステップ９２０でネットワークＩＤが受信されたと判定された場合、動作９００はステップ９２４に進んでもよい。同様に、ステップ９１２で、ゲージ・ネットワークＩＤが要求されなかったと判定された場合、ステップ９１２はステップ９２４に進んでもよい。
【００９９】
ステップ９２４で、ベース・アダプタ１４８が、新たなメッセージ（例えば、通信信号２０４）がベース・アダプタ１４８によりゲージ１０４ａから受信されているかどうか、例えば、動作８００のステップ８４０のように、ワイヤレス送信を介してゲージ・アダプタ１２０ａから受信されているかどうかを判定してもよい。示したように、新たなメッセージが受信されていないと判定された場合、ステップ９２４を繰り返してもよい。しかし、新たなメッセージが受信されていると判定された場合、動作９００はステップ９２８に進んでもよい。ステップ９２８で、ベース・アダプタ１４８が当該メッセージ（例えば、ＵＡＲＴ４２４を介した通信信号２０４）を、ＵＳＢポート４７６のようなコンピュータ１５２のデータポートに出力してもよい。示したように、動作９００は、後に無線計量アセンブリ１０８からメッセージを受信するためにステップ９２４に戻ってもよい。
【０１００】
例２：
図９に示すように、本例では、本発明の諸態様に従うデータ処理システム１０００を説明する。本例では、データ処理システム１０００は、図１に示す夫々のサブシステム１０２、１７０のコンピュータ１５２、１６０、および／またはシステム１００の他のコンポーネントのうち１つまたは複数の態様を実装するのに適した例示的なデータ処理システムである。より具体的には、幾つかの例では、データ処理システムの実施形態である装置（例えば、スマートフォン、タブレット、パーソナルコンピュータ、ワークステーション、および／または硬化ラップトップ）が、上述のワイヤレス・アダプタ管理ソフトウェアを格納および／または実行してもよく、受理された測定値を無線計量アセンブリ１０８からデータベース１８０および／またはサーバ１８４に転送するような他の機能を実施してもよい。
【０１０１】
この例示的な例では、データ処理システム１０００は通信フレームワーク１００２を備える。通信フレームワーク１００２は、プロセッサ・ユニット１００４、メモリ１００６、永続記憶１００８、通信ユニット１０１０、入出力（Ｉ／Ｏ）ユニット１０１２、およびディスプレイ１０１４の間の通信を提供する。メモリ１００６、永続記憶１００８、通信ユニット１０１０、入出力（Ｉ／Ｏ）ユニット１０１２、およびディスプレイ１０１４は、プロセッサ・ユニット１００４により通信フレームワーク１００２を介してアクセス可能なリソースの例である。
【０１０２】
プロセッサ・ユニット１００４は、メモリ１００６にロードできる命令を実行する役割を果たす。プロセッサ・ユニット１００４が、特定の実装に応じて、幾つかのプロセッサ、マルチプロセッサコア、または他の幾つかの種類のプロセッサであってもよい。さらに、プロセッサ・ユニット１００４を、メインプロセッサがセカンダリプロセッサとともに単一のチップ上に存在する幾つかの不均一プロセッサシステムを用いて実装してもよい。別の例示的な例として、プロセッサ・ユニット１００４が、同種の複数のプロセッサを含む対称マルチプロセッサシステムであってもよい。
【０１０３】
メモリ１００６および永続記憶１００８は記憶装置１０１６の例である。記憶装置は、例えば、限定ではなく、データ、機能的形態のプログラム・コード、および他の適切な情報のような情報を一時的または永続的の何れかで格納できる任意のハードウェアである。
【０１０４】
これらの例では記憶装置１０１６をコンピュータ可読記憶装置と称してもよい。メモリ１００６は、これらの例では、例えば、ランダム・アクセス・メモリまたは任意の他の適切な揮発性または不揮発性記憶装置であってもよい。永続記憶１００８は、特定の実装に応じて様々な形態をとってもよい。
【０１０５】
例えば、永続記憶１００８が１つまたは複数のコンポーネントまたは装置を含んでもよい。例えば、永続記憶１００８がハード・ドライブ、フラッシュ・メモリ、再書き込み可能光ディスク、再書き込み可能磁気テープ、または上記の何らかの組合せであってもよい。永続記憶１００８により使用される媒体が取外し可能であってもよい。例えば、取外し可能ハード・ドライブを永続記憶１００８に使用してもよい。
【０１０６】
通信ユニット１０１０は、これらの例では、他のデータ処理システムまたは装置に通信を提供する。これらの例では、通信ユニット１０１０はネットワーク・インタフェース・カードである。通信ユニット１０１０は、物理および無線通信リンクの何れかまたは両方を用いた通信を提供してもよい。
【０１０７】
入出力（Ｉ／Ｏ）ユニット１０１２により、データ処理システム１０００に接続できる他の装置とのデータ入出力が可能となる。例えば、入出力（Ｉ／Ｏ）ユニット１０１２は、キーボード、マウス、および／または他の何らかの適切な入力装置を通じてユーザ入力のための接続を提供してもよい。さらに、入出力（Ｉ／Ｏ）ユニット１０１２が出力をプリンタに送信してもよい。ディスプレイ１０１４は情報をユーザに表示するための機構を提供する。
【０１０８】
オペレーティング・システム、アプリケーション、および／またはプログラムのための命令を記憶装置１０１６に配置してもよい。記憶装置１０１６は、通信フレームワーク１００２を通じてプロセッサ・ユニット１００４と通信する。これらの例示的な例では、当該命令は永続記憶１００８上の機能的形態である。これらの命令を、プロセッサ・ユニット１００４による実行のためにメモリ１００６にロードしてもよい。異なる実施形態のプロセスをコンピュータ実行型の命令を用いてプロセッサ・ユニット１００４により実施してもよい。当該命令をメモリ１００６のようなメモリ内に配置してもよい。
【０１０９】
これらの命令を、プロセッサ・ユニット１００４内のプロセッサにより読み取り、実行できる、プログラム命令、プログラム・コード、コンピュータ利用可能プログラム・コード、またはコンピュータ可読プログラム・コードと称してもよい。異なる実施形態におけるプログラム・コードを、メモリ１００６または永続記憶１００８のような異なる物理またはコンピュータ可読記憶媒体で具現化してもよい。
【０１１０】
プログラム・コード１０１８は、選択的に取外し可能であるコンピュータ可読媒体１０２０上の機能的形態に配置され、プロセッサ・ユニット１００４により実行するためにデータ処理システム１０００にロードまたは転送してもよい。プログラム・コード１０１８およびコンピュータ可読媒体１０２０がこれらの例におけるコンピュータプログラム製品１０２２を形成する。１例では、コンピュータ可読媒体１０２０がコンピュータ可読記憶媒体１０２４またはコンピュータ可読信号媒体１０２６であってもよい。
【０１１１】
コンピュータ可読記憶媒体１０２４が、永続記憶１００８の一部であるハード・ドライブのような記憶装置に転送するための永続記憶１００８の一部であるドライブまたは他の装置に挿入または配置される、例えば、光ディスクまたは磁気ディスクを含んでもよい。コンピュータ可読記憶媒体１０２４はまた、データ処理システム１０００に接続された、ハード・ドライブの、サムドライブ、またはフラッシュ・メモリのような永続記憶の形をとってもよい。幾つかの事例では、コンピュータ可読記憶媒体１０２４がデータ処理システム１０００から取外し可能でなくともよい。
【０１１２】
これらの例では、コンピュータ可読記憶媒体１０２４は、プログラム・コード１０１８を伝播または送信する媒体ではなく、プログラム・コード１０１８を格納するために使用される物理または有形の記憶装置である。コンピュータ可読記憶媒体１０２４はコンピュータ可読有形記憶装置またはコンピュータ可読物理記憶装置とも称される。換言すれば、コンピュータ可読記憶媒体１０２４は、人が触ることのできる媒体である。
【０１１３】
あるいは、プログラム・コード１０１８を、コンピュータ可読信号媒体１０２６を用いてデータ処理システム１０００に伝送してもよい。コンピュータ可読信号媒体１０２６が、例えば、プログラム・コード１０１８を含む伝播データ信号であってもよい。例えば、コンピュータ可読信号媒体１０２６が電磁気信号、光信号、および／または任意の他の適切な種類の信号であってもよい。これらの信号を、ワイヤレス通信リンク、光ファイバケーブル、同軸ケーブル、有線、および／または任意の他の適切な種類の通信リンクのような通信リンク上で送信してもよい。換言すれば、当該通信リンクおよび／または接続が、当該例示的な例において物理的または無線であってもよい。
【０１１４】
幾つかの例示的な実施形態では、プログラム・コード１０１８を、データ処理システム１０００内で使用するために、ネットワーク上でコンピュータ可読信号媒体１０２６を通じて別の装置またはデータ処理システムから永続記憶１００８にダウンロードしてもよい。例えば、サーバデータ処理システム内のコンピュータ可読記憶媒体に格納されたプログラム・コードを、ネットワーク上でサーバからデータ処理システム１０００にダウンロードしてもよい。プログラム・コード１０１８を提供するデータ処理システムがサーバコンピュータ、クライアントコンピュータ、またはプログラム・コード１０１８を格納し送信できる何らかの他の装置であってもよい。
【０１１５】
データ処理システム１０００に対して図示した様々なコンポーネントは、異なる実施形態を実装できる方式に対する構造的限定を提供することを意味するものではない。当該異なる例示的な実施形態を、データ処理システム１０００に対して示したものに加えておよび／またはそれの代わりとしての、コンポーネントを含むデータ処理システムで実装してもよい。図９に示す他のコンポーネントを、示した例示的な例から変形することができる。当該異なる実施形態を、プログラム・コードを実行できる任意のハードウェア装置またはシステムを用いて実装してもよい。１例として、データ処理システム１０００が無機コンポーネントと統合した有機コンポーネントを含んでもよく、かつ／または、人間を除く有機コンポーネントから専ら構成してもよい。例えば、記憶装置を有機半導体から構成してもよい。
【０１１６】
別の例示的な例では、プロセッサ・ユニット１００４が、特定の利用のために製造または構成された回路を有するハードウェア・ユニットの形をとってもよい。この種のハードウェアは、動作を、当該動作を実施するように構成されたプログラム・コードを記憶装置からメモリにロードする必要なしに実施してもよい。
【０１１７】
例えば、プロセッサ・ユニット１００４がハードウェア・ユニットの形をとるとき、プロセッサ・ユニット１００４が回路システム、特殊用途向け集積回路（ＡＳＩＣ）、プログラム可能論理装置、または幾つかの動作を実施するするように構成された他の幾つかの適切な種類のハードウェアであってもよい。プログラム可能論理装置では、当該装置は、当該幾つかの動作を実施するように構成される。当該装置を後の時点で再構成するか、または、幾つかの動作を実施するように永続的に構成してもよい。プログラム可能論理装置の例には、例えば、プログラム可能論理アレイ、フィールドプログラム可能論理アレイ、フィールドプログラム可能ゲートアレイ、および他の適切なハードウェア装置が含まれる。この種の実装では、当該異なる実施形態に関するプロセスがハードウェア・ユニットで実装されるので、プログラム・コード１０１８を省略してもよい。
【０１１８】
さらに別の例示的な例では、プロセッサ・ユニット１００４を、コンピュータおよびハードウェア・ユニット内のプロセッサの組合せを用いて実装してもよい。プロセッサ・ユニット１００４が、プログラム・コード１０１８を実行するように構成された幾つかのハードウェア・ユニットおよび幾つかのプロセッサを有してもよい。この説明した例では、当該プロセスの幾つかを幾つかのハードウェア・ユニットで実装してもよく、他のプロセスを幾つかのプロセッサで実装してもよい。
【０１１９】
別の例では、バスシステムを使用して、通信フレームワーク１００２を実装してもよく、システムバスまたは入出力バスのような１つまたは複数のバスから構成してもよい。勿論、当該バスシステムを、当該バスシステムに取り付けた異なるコンポーネントまたは装置の間でのデータ転送を提供する任意の適切な種類のアーキテクチャを用いて実装してもよい。
【０１２０】
さらに、通信ユニット１０１０がデータを送信し、データを受信し、または、データの送信と受信の両方を行う幾つかの装置を含んでもよい。通信ユニット１０１０が、例えば、モデムまたはネットワーク・アダプタ、２つのネットワーク・アダプタ、またはそれらの何らかの組合せであってもよい。さらに、メモリが、通信フレームワーク１００２に存在しうるインタフェースおよびメモリコントローラハブ内に見出されるような、例えば、メモリ１００６、またはキャッシュであってもよい
【０１２１】
本明細書で説明した流れ図およびブロック図は、様々な例示的な実施形態に従う、システム、方法、およびコンピュータプログラム製品の可能な実装のアーキテクチャ、機能、および動作を示す。これに関して、流れ図またはブロック図の各ブロックがモジュール、セグメント、またはコード部分を表してもよく、特定の論理機能または機能を実装するための１つまたは複数の実行可能命令を含む。幾つかの代替的な実装では、ブロックに記載した機能を図面に記載した順序とは別に実施してもよいことに留意されたい。例えば、含まれる機能に応じて、連続して示した２つのブロックの機能を実質的に並列に実行してもよく、または当該ブロックの機能を場合によっては逆順で実行してもよい。
【０１２２】
例３：
本節は、限定ではなく一連のパラグラフとして提供される諸実施形態の追加の態様および特徴を説明する。これらの一部または全部を明確さおよび効率のため英数字で指定してもよい。これらのパラグラフの各々を、１つまたは複数の他のパラグラフおよび／または本願の別の個所の開示と、任意の適切な方式で組み合わせることができる。以下のパラグラフの一部は明示的に他のパラグラフを参照しさらに当該他のパラグラフを限定し、限定ではなく適切な組合せの幾つかの例を提供する。
【０１２３】
Ａ１：ゲージ測定値を通信する方法であって、当該ゲージにより出力された測定値を表す測定値信号をゲージから受信するステップと、当該受信した測定値を含む通信信号を生成するステップと、ワイヤレス・ネットワーク・プロトコルに従って当該通信信号を無線で送信するステップとを含む、方法。
【０１２４】
Ａ２：当該通信信号を無線で送信するステップは、ＩＥＥＥ８０２．１５．４ワイヤレス通信標準を有するＺｉｇＢｅｅネットワーク・プロトコルに従って当該通信信号を無線で送信するステップを含む、パラグラフＡ１に記載の方法。
【０１２５】
Ａ３：ゲージ固有情報を記憶装置に格納するステップをさらに含み、通信信号を生成するステップは当該ゲージ固有情報で当該通信信号を生成するステップを含む、パラグラフＡ１に記載の方法。
【０１２６】
Ａ４：当該ゲージは、複数のフォーマットのうち第１のフォーマットに従ってフォーマットされた測定値を有する測定値信号を出力し、当該方法は、当該複数のフォーマットのうち第２のフォーマットに従ってフォーマットされた測定値を有する通信信号を生成するステップをさらに含む、パラグラフＡ１に記載の方法。
【０１２７】
Ａ５：当該ゲージにより出力された測定値に関連するユーザにより選択可能な複数の入力のうち１つに対応するユーザ入力を受信するステップと、当該ユーザ入力を表すフィードバック信号を無線で送信するステップとをさらに含む、パラグラフＡ１に記載の方法。
【０１２８】
Ａ６：当該送信された通信信号を無線で受信するステップと、当該測定値を当該受信された通信信号から決定するステップと、当該決定された測定値を第１の記憶装置に格納するステップとをさらに含む、パラグラフＡ１に記載の方法。
【０１２９】
Ａ７：ゲージから測定値信号を受信するステップと、通信信号を生成するステップと、当該通信信号を無線で送信するステップとはファームウェアと第２の記憶装置とを有する無線計量アセンブリにより実施され、当該方法は、無線計量アセンブリのファームウェアに対する第１の構成を第２の記憶装置に格納するステップと、第１の記憶装置で無線計量アセンブリのファームウェアに対する第２の構成を読み取るステップと、無線計量アセンブリのファームウェアに対する第２の構成を無線計量アセンブリに無線で送信するステップと、無線計量アセンブリにより無線計量アセンブリのファームウェアに対する第２の構成を受信するステップと、第２の記憶装置上で、無線計量アセンブリのファームウェアに対する第１の構成を無線計量アセンブリのファームウェアに対する当該受信された第２の構成で置き換えるステップとをさらに含む、パラグラフＡ６に記載の方法。
【０１３０】
Ａ８：当該ゲージは、複数のフォーマットのうち第１のフォーマットに従ってフォーマットされた測定値を有する測定値信号を出力し、測定値信号を当該ゲージから受信するステップと、通信信号を生成するステップと、当該通信信号を無線で送信するステップとは、ファームウェアを有する無線計量アセンブリにより実施され、当該方法は、当該複数のフォーマットごとに無線計量アセンブリのファームウェアのバージョンを第１の記憶装置に格納するステップと、当該第１のフォーマットが当該ゲージに対して適切であるという指示をユーザから受信するステップと、当該第１のフォーマットに従ってフォーマットされた測定値の処理を提供するファームウェアのバージョンを決定するステップと、当該ファームウェアの当該決定されたバージョンを第１の記憶装置から読み取るステップと、当該ファームウェアの読み取ったバージョンを無線計量アセンブリに無線で送信するステップと、無線計量アセンブリによって、当該ファームウェアの送信されたバージョンを受信するステップと、当該ファームウェアの受信されたバージョンを無線計量アセンブリにインストールするステップとをさらに含む、パラグラフＡ６に記載の方法。
【０１３１】
Ａ９：当該ゲージにより出力された測定値を表す表示信号をコンピュータにより表示装置に出力するステップと、当該ゲージに対しておよび当該コンピュータに対して物理的かつ動作的に独立し独立に移動可能なワイヤレス・フィードバック装置上で、当該表示装置に表示された測定値に関連するユーザにより選択可能な複数の入力の１つに対応するユーザ入力を受信するステップと、当該ワイヤレス・フィードバック装置により、当該ユーザ入力を表すフィードバック信号を無線で送信するステップと、当該送信されたフィードバック信号を受信するステップと、当該受信されたフィードバック信号に少なくとも部分的に基づいて当該決定された測定値を処理するステップとをさらに含む、パラグラフＡ６に記載の方法。
【０１３２】
Ｂ１：入出力コントローラと当該入出力コントローラに動作的に接続された第１のワイヤレス・ネットワーク・コントローラとを備えた無線計量アセンブリであって、当該入出力コントローラは、無線計量アセンブリが当該ゲージに動作的に接続されたとき、当該ゲージにより出力された測定値を表す測定値信号をゲージから受信し、当該受信した測定値を含む通信信号を生成するように構成され、第１のワイヤレス・ネットワーク・コントローラは、ワイヤレス・ネットワーク・プロトコルに従って当該通信信号を無線で送信するように構成された、無線計量アセンブリ。
【０１３３】
Ｂ２：当該ワイヤレス・ネットワーク・プロトコルは、ＩＥＥＥ８０２．１５．４ワイヤレス通信標準に従うＺｉｇＢｅｅネットワーク・プロトコルである、パラグラフＢ１に記載の無線計量アセンブリ。
【０１３４】
Ｂ３：１つまたは複数のゲージ固有データを格納するように構成された計量記憶装置をさらに備え、当該入出力コントローラは、当該１つまたは複数のゲージ固有データの少なくとも１つを用いて当該通信信号を生成するように構成された、パラグラフＢ１に記載の無線計量アセンブリ。
【０１３５】
Ｂ４：当該ゲージは、複数のフォーマットのうち第１のフォーマットに従ってフォーマットされた測定値を有する測定値信号を出力し、当該入出力コントローラは、当該複数のフォーマットのうち第２のフォーマットに従ってフォーマットされた測定値を用いて当該通信信号を生成するように構成される、パラグラフＢ１に記載の無線計量アセンブリ。
【０１３６】
Ｂ５：無線計量アセンブリは、当該ゲージにより出力された測定値に関連するユーザにより選択可能な複数の入力のうち１つに対応するユーザ入力を受信し、当該ユーザ入力を表すフィードバック信号を無線で送信するように構成される、パラグラフＢ１に記載の無線計量アセンブリ。
【０１３７】
Ｂ６：パラグラフＢ１に記載の無線計量アセンブリと、記憶装置と、送信された通信信号を無線で受信するように構成されたワイヤレス・ベース・アダプタと、当該通信信号を当該ワイヤレス・ベース・アダプタから受信し、当該測定値を当該通信信号から決定し、当該決定された測定値を当該記憶装置に格納するように構成されたコンピュータとを備える、無線計量システム。
【０１３８】
Ｂ７：当該無線計量アセンブリは構成可能なファームウェアを備え、当該記憶装置はまた当該無線計量アセンブリのファームウェアに対する第１の構成を格納し、当該コンピュータは、当該無線計量アセンブリのファームウェアに対する第１の構成を読み取り、当該無線計量アセンブリのファームウェアに対する第１の構成を当該無線計量アセンブリに当該ワイヤレス・ベース・アダプタを介して無線で送信するように構成され、当該無線計量アセンブリは、既存の第２のファームウェア構成を当該ファームウェアに対する当該受信された第１の構成で置き換えるように構成された、パラグラフＢ６に記載の無線計量システム。
【０１３９】
Ｂ８：当該ゲージは、複数のフォーマットのうち第１のフォーマットに従ってフォーマットされた測定値を有する測定値信号を出力し、当該無線計量アセンブリはファームウェアを備え、当該記憶装置はまた当該複数のフォーマットごとに当該無線計量アセンブリのファームウェアのバージョンを格納し、当該コンピュータは、当該第１のフォーマットが当該ゲージに対して適切であるという指示をユーザから受信し、当該第１のフォーマットに対する当該無線計量アセンブリのファームウェアのバージョンを読み取り、当該ファームウェアの読み取ったバージョンを当該無線計量アセンブリに当該ワイヤレス・ベース・アダプタを介して無線で送信するように構成され、当該無線計量アセンブリは、当該無線計量アセンブリの当該送信されたファームウェアをインストールするように構成された、パラグラフＢ６に記載の無線計量システム。
【０１４０】
Ｂ９：当該コンピュータに動作的に接続され、当該コンピュータから受信した表示信号を表示するように構成された表示装置をさらに備え、当該コンピュータは、当該ゲージにより出力された測定値を表す表示信号を当該表示装置に出力するように構成され、当該無線計量アセンブリは、当該入出力コントローラおよび第１のワイヤレス・ネットワーク・コントローラをサポートする第１の筐体を含むゲージ・アダプタを備え、当該無線計量アセンブリはさらに、第１の筐体に対して物理的に独立し独立に移動可能な第２の筐体を含むワイヤレス・フィードバック装置と、第２の筐体によりサポートされるユーザ入力装置と、第２の筐体によりサポートされる第２のワイヤレス・ネットワーク・コントローラとを備え、当該ユーザ入力装置は、当該表示装置に表示された測定値に関連するユーザにより選択可能な複数の入力の１つに対応するユーザ入力を受信するように構成され、第２のワイヤレス・ネットワーク・コントローラは、当該ユーザ入力を表すフィードバック信号を当該コンピュータに当該ワイヤレス・ベース・アダプタを介して無線で送信するように構成された、パラグラフＢ６に記載の無線計量システム。
【０１４１】
Ｃ１：測定値に関連する指示を受信するように構成された少なくとも１つ入力装置を有する無線計量アセンブリと、表示信号を表示するように構成された表示装置と、送信された通信信号を無線で受信し、当該ゲージにより出力された測定値の指示を含む表示信号を当該表示装置に通信し、フィードバック信号を無線で受信するように構成された基本アセンブリとを備えた無線計量システムであって、当該指示は手動で当該入力装置で入力され、ユーザが選択可能な複数の入力のうち少なくとも１つに対応し、当該無線計量アセンブリは、当該無線計量アセンブリが当該ゲージに動作的に接続されたとき、当該ゲージにより出力された測定値を表す測定値信号をゲージから受信し、当該測定値信号を表す通信信号を無線送信し、当該入力された指示を表すフィードバック信号を無線で送信するように構成された、無線計量システム。
【０１４２】
Ｃ２：当該無線計量アセンブリは、ゲージ・アダプタと、当該ゲージ・アダプタに対して物理的に独立し独立に移動可能なワイヤレス・フィードバック装置とを備え、当該ゲージ・アダプタは、当該ゲージ・アダプタが当該ゲージに動作的に接続されたとき、当該測定値信号を当該ゲージから受信し、当該入力装置を含む当該ワイヤレス・フィードバック装置に当該通信信号を無線で送信するように構成され、当該表示装置に表示された測定値に関連するユーザにより選択可能な複数の入力の１つに対応するユーザ入力を受信し、当該ユーザ入力を表すフィードバック信号を当該基本アセンブリに無線で送信するように構成される、パラグラフＣ１に記載の無線計量システム。
【０１４３】
利点、特徴、利益
本明細書で説明した様々な実施形態は、ゲージ測定値を収集するための既存の解決策に対して幾つかの利点を提供する。例えば、本明細書で説明した例示的な実施形態により、ゲージのネイティブ・プロトコル（例えば、出力フォーマット）と無関係に、ゲージ測定値を無線で安全に送信することができる。さらに、他の利点のうち、本明細書で説明した例示的な実施形態により、無線送信されたゲージ測定値をリモートに受理または拒否することができる。本明細書で説明した例示的な実施形態はまた、基地局からゲージ・アダプタおよび関連するゲージへのワイヤレス通信も提供する。当該通信を使用して、ゲージ・アダプタファームウェアを更新するかまたはゲージ・アダプタを再構成してもよい。しかし、本明細書で説明した実施形態の全てが同一の利点または同程度の利点をもたらすわけではない。
【０１４４】
結論
以上の開示は、独立な利用を有する複数の相違なる発明を包含できる。これらの発明の各々はその好適な形態（複数可）で開示されているが、多数の様々な変形が可能なので、本明細書で開示され説明したその具体的な実施形態は限定的な意味としては考えられない。本発明（複数可）の主題は、本明細書で開示した様々な要素、特徴、機能、および／または性質の全ての新規かつ非自明な組合せおよび副次的組合せを含む。添付の諸請求項は特に、新規かつ非自明とみなされる組合せおよび副次的組合せを含む。特徴、機能、要素、および／または性質の他の組合せおよび副次的組合せで具現化した発明（複数可）も、本願または関連する出願の優先権を主張する出願において権利主張されうる。かかる諸請求項は、異なる発明に関するものであろうと同一発明に関するものであろうと、元の請求項より広い、狭い、等しい、または異なる範囲であろうと、本開示の発明（複数可）の主題に含まれるとみなされる。
【符号の説明】
【０１４５】
１３２  記憶装置
３００  アプリケーション・マイクロコントローラ
３０４  ハードウェア割込みデータ・バッファ
３０８  ＲＡＭ測定値バッファ
３１２  測定値データ・フォーマットＣＰＵ
３１６  無線プロセッサ・インタフェース
３２０  無線プロセッサＡＳＩＣ
３２２  プロセッサ
３２４  モデムＡＳＩＣ
３２６  アンテナ
３２８  マイクロコントローラ・インタフェース
３３６  データ・バッファ
３４０  モデム・インタフェース
３４４  無線プロセッサ・インタフェース
３４８  変調器／復調器ユニット
３５２  アンテナ・インタフェース
３５６  電源
３６０  電源スイッチ
３６４  ライト
３６８  ゲージ・データ出力
【図１】
0006668038.tif 000002
【図２】
0006668038.tif 000003
【図３】
0006668038.tif 000004
【図４】
0006668038.tif 000005
【図５】
0006668038.tif 000006
【図６】
0006668038.tif 000007
【図７】
0006668038.tif 000008
【図８】
0006668038.tif 000009
【図９】
0006668038.tif 000010